(57)【要約】【課題】ＣＯＭＢＩＮＥＤ位置登録信号を用いた場合であっても、問題なく位置登録処理を行えるようにする。【解決手段】強制的に位置登録を行うための信号に、Ｉｎｔｅｒ−ＳＧＳＮであるか、Ｉｎｔｒａ−ＳＧＳＮであるかを示すパラメータを追加する。このパラメータを、削除してはいけない旨のフラグ、削除禁止を示すフラグとして機能させることにより、ＬＩＣＨフラグが設定されている場合や、ＳＧＳＮが保持している加入者プロファイル情報が正確でない可能性があり、移動端末の位置登録を強制的に行う場合において、ＳＧＳＮが変化していない状況においても、ＣＯＭＢＩＮＥＤ位置登録を行うときに、それをＳＧＳＮ、ＨＬＲなどに認識させて、ＳＧＳＮに保持されている加入者のプロファイル情報を削除しないようにすることにより、移動端末を用いた通信に支障が生じないようにする。【選択図】      図２
2014003554.tif 000002
【特許請求の範囲】
【請求項１】
移動端末に関する位置登録信号を受信した場合に、該移動端末が在圏していたエリアである旧在圏エリアに対応する交換機宛てに、該移動端末に関する加入者プロファイル情報を削除する指示を含む削除指示信号を送信する第１の装置と、
移動端末の在圏エリアが変更になっていない場合でも送信すべき位置登録信号に、前記第１の装置による前記削除指示信号の送信を抑止するための送信抑止情報を含めて、前記第１の装置宛てに送信する第２の装置と、
を含むことを特徴とする移動通信システム。
【請求項２】
請求項１において、
前記位置登録信号は、回線接続に関する位置登録処理とパケット接続に関する位置登録処理とをまとめて行うためのＣＯＭＢＩＮＥＤ位置登録信号であることを特徴とする移動通信システム。
【請求項３】
請求項１または２において、
前記移動端末の在圏エリアが変更になっていない場合でも送信すべき位置登録信号は、前記加入者プロファイル情報の“Ｌｏｃａｔｉｏｎ  Ｉｎｆｏｒｍａｔｉｏｎ  Ｃｏｎｆｉｒｍｅｄ  ｉｎ  ＨＬＲ”が“Ｎｏｔ  Ｃｏｎｆｉｒｍｅｄ”に設定されている場合に送信される位置登録信号であることを特徴とする移動通信システム。
【請求項４】
請求項１または２において、
前記移動端末の在圏エリアが変更になっていない場合でも送信すべき位置登録信号は、前記交換機に保持されている加入者プロファイル情報が正確でない可能性がある場合に送信される位置登録信号であることを特徴とする移動通信システム。
【請求項５】
移動端末に関する位置登録信号を受信した場合に、該移動端末が在圏していたエリアである旧在圏エリアに対応する交換機宛てに、該移動端末に関する加入者プロファイル情報を削除する指示を含む削除指示信号を第１の装置が送信する第１ステップと、
移動端末の在圏エリアが変更になっていない場合でも送信すべき位置登録信号に、前記第１の装置による前記削除指示信号の送信を抑止するための送信抑止情報を含めて、前記第１の装置宛てに第２の装置が送信する第２ステップと、
を含むことを特徴とする位置登録方法。
【発明の詳細な説明】
【技術分野】
【０００１】
本発明は移動通信システム、位置登録方法に関し、特にコンバインド（Ｃｏｍｂｉｎｅｄ）位置登録を行う移動通信システム、位置登録方法に関する。
【背景技術】
【０００２】
移動体通信に関する標準規格である３ＧＰＰのＴＳ２３．００７によると、ＨＬＲ（Ｈｏｍｅ  Ｌｏｃａｔｉｏｎ  Ｒｅｇｉｓｔｅｒ）またはＨＳＳ（Ｈｏｍｅ  Ｓｕｂｓｃｒｉｂｅｒ  Ｓｅｒｖｅｒ）において障害や動作の再開等が発生した場合、当該ＨＬＲ／ＨＳＳは自装置がプロファイル情報を収容している加入者の端末が在圏している各ＶＬＲ（Ｖｉｓｉｔｏｒ  Ｌｏｃａｔｉｏｎ  Ｒｅｇｉｓｔｅｒ）、ＳＧＳＮ（Ｓｅｒｖｉｎｇ  Ｇｅｎｅｒａｌ  Ｐａｃｋｅｔ  Ｒａｄｉｏ  Ｓｅｒｖｉｃｅ  Ｓｕｐｐｏｒｔ  Ｎｏｄｅ  ）またはＭＭＥ（Ｍｏｂｉｌｉｔｙ  Ｍａｎａｇｅｍｅｎｔ  Ｅｎｔｉｔｙ）に、リセットメッセージ（以下、リセットメッセージと称する）を送信する（例えば、非特許文献１）。
【０００３】
このリセットメッセージを受信した各ＶＬＲ／ＳＧＳＮ／ＭＭＥは、該当ＨＬＲ／ＨＳＳに収容されている加入者のプロファイル情報のフラグの１つである“Ｌｏｃａｔｉｏｎ  Ｉｎｆｏｒｍａｔｉｏｎ  Ｃｏｎｆｉｒｍｅｄ  ｉｎ  ＨＬＲ”（以降、ＬＩＣＨと略称する）を“Ｎｏｔ  Ｃｏｎｆｉｒｍｅｄ”に設定する。このＬＩＣＨフラグは、ＨＬＲの予備切替発生時、加入者のプロファイル情報のバックアップタイミングにより発生する可能性がある在圏情報アンマッチを解消するため、当該ＨＬＲに収容されている再位置登録を促すために、加入者のプロファイル情報に付与するフラグである。  ＳＧＳＮは、ＬＩＣＨが“Ｎｏｔ  Ｃｏｎｆｉｒｍｅｄ”に設定された加入者の端末の発着信、位置登録（周期位置登録）を契機に、必ずＨＬＲ／ＨＳＳに対してＵｐｄａｔｅ  Ｌｏｃａｔｉｏｎ（位置登録）を実施することにより、ＨＬＲの状態を最新化する。こうすることにより、ＳＧＳＮに保持されている情報と、ＨＬＲに保持されている情報との整合を図ることができる。
【０００４】
なお、通常は、発着信や周期位置登録が行われた場合には、ＨＬＲに対して位置登録を行わないが、上記のようにＬＩＣＨが“Ｎｏｔ  Ｃｏｎｆｉｒｍｅｄ”に設定された加入者の端末については、必ずＨＬＲに対して位置登録処理を実施する。このように、在圏が変わっていなくてもＨＬＲに対して位置登録を実施する必要がある場合としては、ＬＩＣＨが“Ｎｏｔ  Ｃｏｎｆｉｒｍｅｄ”の場合の他に、ＳＤＣＨ（Ｓｕｂｓｃｒｉｂｅｒ  Ｄａｔａ  Ｃｏｎｆｉｒｍｅｄ  ｂｙ  ＨＬＲ）が“Ｎｏｔ  Ｃｏｎｆｉｒｍｅｄ”の場合がある。
【先行技術文献】
【非特許文献】
【０００５】
【非特許文献１】「３ＧＰＰ  Ｓｐｅｃｉｆｉｃａｔｉｏｎ  ｄｅｔａｉｌ」、３ＧＰＰ、[平成２４年５月１日検索]、インターネット＜ＵＲＬ：http://www.3gpp.org/ftp/Specs/html-info/23007.htm＞
【発明の概要】
【発明が解決しようとする課題】
【０００６】
ところで、３ＧＰＰの標準規格によると、在圏ノード（ＳＧＳＮ、ＶＬＲ）が変更になった場合、回線交換（ＣＳ：Ｃｉｒｃｕｉｔ  Ｓｗｉｔｃｈｉｎｇ）呼を処理するネットワークのエリア（ＣＳエリア）、パケット交換（ＰＳ：Ｐａｃｋｅｔ  Ｓｗｉｔｃｈｉｎｇ）呼を処理するネットワークのエリア（ＰＳエリア）、のそれぞれについて位置登録信号を送信することになっている。同じような信号が二重に送信されることはネットワークリソースを有効に活用できない可能性があるので、それを解消するために、ＣＳ呼（以下、単にＣＳと記すことがある）、ＰＳ呼（以下、単にＰＳと記すことがある）に関してまとめて位置登録を行うための位置登録信号であるコンバインド（ＣＯＭＢＩＮＥＤ）位置登録信号（以下、ＣＯＭＢＩＮＥＤ位置登録信号と記す）を送信する仕様も考えられる。その場合、３ＧＰＰの標準機能によると、移動端末からのＣＯＭＢＩＮＥＤ位置登録信号をＳＧＳＮで受信後、ＨＬＲに対してはＣＳ／ＰＳ単独位置登録により位置登録を実施することになる。以後の説明では、ＨＬＲの場合について説明するが、ＨＳＳについても同様の説明が妥当する。
【０００７】
図１６は、ＣＳ呼、ＰＳ呼に関して、それぞれ単独に位置登録信号を送信する場合を示している。図１６を参照すると、２つのＳＧＳＮ１１、ＳＧＳＮ１２それぞれに対応してＰＳエリアＰＳＡ１、ＰＳＡ２が存在している。また、２つのＶＬＲ２１、ＶＬＲ２２それぞれに対応してＣＳエリアＣＳＡ１、ＣＳＡ２が存在している。このようなエリア構成において、移動端末ＭＴが矢印Ｙのように移動した場合を考える。移動後のＰＳエリアＰＳＡ２、ＣＳエリアＣＳＡ２において、移動端末ＭＴは、アタッチ処理または位置登録処理を行う。例えば、矢印Ｙ１のように移動端末ＭＴが位置登録信号を送信すると、ＣＳ呼に関する位置登録信号が矢印Ｙ２、Ｙ３の経路でＨＬＲ１０宛てに送信され、ＰＳ呼に関する位置登録信号が矢印Ｙ４の経路でＨＬＲ１０宛てに送信される。
【０００８】
図１７は、ＣＳ呼、ＰＳ呼に関して、ＣＯＭＢＩＮＥＤ位置登録信号を送信する場合を示している。図１７を参照すると、図１６の場合と同様のエリア構成になっている。移動端末ＭＴが矢印Ｙのように移動した場合を考える。移動後のＰＳエリアＰＳＡ２、ＣＳエリアＣＳＡ２において、移動端末ＭＴは、アタッチ処理または位置登録処理を行う。例えば、矢印Ｙ１のように移動端末ＭＴが位置登録信号を送信すると、ＣＯＭＢＩＮＥＤ位置登録信号が矢印Ｙ２、Ｙ３の経路でＨＬＲ１０宛てに送信される。
【０００９】
図１８は、ＳＧＳＮのみ変更がある場合（ＶＬＲには変更が無い場合）を示している。図１８を参照すると、２つのＳＧＳＮ１１、ＳＧＳＮ１２それぞれに対応してＰＳエリアＰＳＡ１、ＰＳＡ２が存在している。また、ＶＬＲ２１に対応してＣＳエリアＣＳＡが存在している。このようなエリア構成において、移動端末ＭＴが矢印Ｙのように移動した場合を考える。移動後のＰＳエリアＰＳＡ２において、移動端末ＭＴは、アタッチ処理または位置登録処理を行う。例えば、矢印Ｙ１のように移動端末ＭＴが位置登録信号を送信すると、ＰＳ呼に関する位置登録信号が矢印Ｙ４の経路でＨＬＲ１０宛てに送信される。
【００１０】
図１９は、ＶＬＲのみ変更がある場合（ＳＧＳＮには変更が無い場合）を示している。図１９を参照すると、ＳＧＳＮ１１に対応してＰＳエリアＰＳＡが存在している。また、２つのＶＬＲ２１、ＶＬＲ２２それぞれに対応してＣＳエリアＣＳＡ１、ＣＳＡ２が存在している。このようなエリア構成において、移動端末ＭＴが矢印Ｙのように移動した場合を考える。移動後のＣＳエリアＣＳＡ２において、移動端末ＭＴは、アタッチ処理または位置登録処理を行う。例えば、矢印Ｙ１のように移動端末ＭＴが位置登録信号を送信すると、ＣＳ呼に関する位置登録信号が矢印Ｙ２、Ｙ３の経路でＨＬＲ１０宛てに送信される。
【００１１】
上述したＣＯＭＢＩＮＥＤ位置登録信号を採用する場合、例えば、以下の（１）〜（３）の機能拡張を行うことにより、位置登録信号数の削減を図ることができる。
（１）移動端末が移動し、ＳＧＳＮおよびＶＬＲ共に変更がある場合には、ＣＯＭＢＩＮＥＤ位置登録信号を送信する。
（２）移動端末が移動し、ＳＧＳＮのみに変更がある場合（ＶＬＲには変更が無い場合）には、ＰＳ単独位置登録信号を送信する。
（３）移動端末が移動し、ＶＬＲのみ変更がある場合（ＳＧＳＮには変更が無い場合）には、ＣＳ単独位置登録信号を送信する。
【００１２】
上記の場合、ＳＧＳＮが変わらない場合（Ｉｎｔｒａ−ＳＧＳＮ）、ＳＧＳＮが変わる場合（Ｉｎｔｅｒ−ＳＧＳＮ）に応じて、異なる信号がＨＬＲへ向けて送信される。
（Ａ）ＳＧＳＮが変わらない場合（Ｉｎｔｒａ−ＳＧＳＮ）
この場合、通常時であれば、ＳＧＳＮからＶＬＲへ、３ＧＰＰ標準のＢＳＳＡＰ＋（Ｂａｓｅ  Ｓｔａｔｉｏｎ  Ｓｙｓｔｅｍ  Ａｐｐｌｉｃａｔｉｏｎ  Ｐａｒｔ＋）プロトコルによるＬＯＣＡＴＩＯＮ  ＵＰＤＡＴＥ  ＲＥＱＵＥＳＴを送信し、ＶＬＲからＨＬＲへ、ＭＡＰ＿ＵＰＤＡＴＥ  ＬＯＣＡＴＩＯＮ  ＲＥＱＵＥＳＴを送信する。
【００１３】
一方、強制的に位置登録を実施する場合は、２つの信号を送信する。すなわち、ＳＧＳＮからＶＬＲへ、ＢＳＳＡＰ＋プロトコルによるＬＯＣＡＴＩＯＮ  ＵＰＤＡＴＥ  ＲＥＱＵＥＳＴを送信し、ＶＬＲからＨＬＲへ、ＭＡＰ＿ＵＰＤＡＴＥ  ＬＯＣＡＴＩＯＮ  ＲＥＱＵＥＳＴを送信する。さらに、ＳＧＳＮからＨＬＲへ、ＭＡＰ＿ＵＰＤＡＴＥ  ＧＰＲＳ  ＬＯＣＡＴＩＯＮ  ＲＥＱＵＥＳＴを送信する。
【００１４】
（Ｂ）ＳＧＳＮが変わる場合（Ｉｎｔｅｒ−ＳＧＳＮ）
３ＧＰＰの標準機能に従う場合、２つの信号を送信する。ＳＧＳＮからＶＬＲへ、３ＧＰＰ標準のＢＳＳＡＰ＋プロトコルによるＬＯＣＡＴＩＯＮ  ＵＰＤＡＴＥ  ＲＥＱＵＥＳＴを送信し、ＶＬＲからＨＬＲへ、ＭＡＰ＿ＵＰＤＡＴＥ  ＬＯＣＡＴＩＯＮ  ＲＥＱＵＥＳＴを送信する。さらに、ＳＧＳＮからＨＬＲへ、ＭＡＰ＿ＵＰＤＡＴＥ  ＧＰＲＳ  ＬＯＣＡＴＩＯＮ  ＲＥＱＵＥＳＴを送信する。
一方、ＣＯＭＢＩＮＥＤ位置登録信号を送信する場合、ＳＧＳＮからＳＩＮへ、３ＧＰＰ標準のＢＳＳＡＰ＋プロトコルを独自に拡張したＣＯＭＢＩＮＥＤ  ＬＯＣＡＴＩＯＮ
【００１５】
ＵＰＤＡＴＥ  ＲＥＱＵＥＳＴを送信し、ＶＬＲからＨＬＲへ、ＭＡＰを独自に拡張したＣＯＭＢＩＮＥＤ  ＵＰＤＡＴＥ  ＬＯＣＡＴＩＯＮ  ＲＥＱＵＥＳＴを送信する。
以上のように、ＳＧＳＮは変わらないが強制的に位置登録を行いたい場合は２つの信号送る必要があるためＨＬＲの負荷が大きくなる。そこで、ＣＯＭＢＩＮＥＤ位置登録信号を用いることが有効であると考えられる。しかしながら、ＣＯＭＢＩＮＥＤ位置登録信号はＩｎｔｅｒ−ＳＧＳＮが前提のため、Ｉｎｔｒａ−ＳＧＳＮにおいてＣＯＭＢＩＮＥＤ位置登録信号を用いてしまうと、在圏プロファイル情報をキャンセル（削除）してしまう懸念がある。
【００１６】
（ＣＳ単独位置登録信号とＣＯＭＢＩＮＥＤ位置登録信号）
次に、ＣＳ呼、ＰＳ呼についてそれぞれ単独の位置登録信号を送信する場合と、ＣＯＭＢＩＮＥＤ位置登録信号を送信する場合と、について説明する。
まず、図２０を参照して、ＣＯＭＢＩＮＥＤ位置登録信号ではなく、ＣＳ呼、ＰＳ呼についてそれぞれ単独の位置登録信号を送信する場合について説明する。
【００１７】
図２０は、ＳＧＳＮ１１からＨＬＲ１０に至るまでのネットワークの構成例を示す図であり、ＩＭＳネットワーク構成をベースとしている。図２０の例では、ＣＳ−ＧＷ（Ｃｉｒｃｕｉｔ  Ｓｗｉｔｃｈｉｎｇ−ＧａｔｅＷａｙ）１３ａおよび１３ｂ、Ｉ／Ｓ−ＣＳＣＦ（Ｉｎｔｅｒｒｏｇａｔｉｎｇ／Ｓｅｒｖｉｎｇ−Ｃａｌｌ  Ｓｅｓｓｉｏｎ  Ｃｏｎｔｒｏｌ  Ｆｕｎｃｔｉｏｎ）１４、ＡＳ（Ａｐｐｌｉｃａｔｉｏｎ  Ｓｅｒｖｉｎｇ）１５、によって、ＳＧＳＮ１１からＨＬＲ１０に至るまでのネットワークが構成されている。
【００１８】
図２０において、ＨＬＲの障害や動作の再開等が発生した場合に、ＳＧＳＮ１１にはＬＩＣＨフラグがセットされる。ＬＩＣＨフラグがセットされている場合において、移動端末ＭＴが位置登録信号を出力すると、ＳＧＳＮ１１は、ＣＳ呼、ＰＳ呼について、それぞれ単独に位置登録信号を送信する（Ｓ１４１）。このとき、ＣＳ−ＧＷ１３ａについては、回線故障等により選択できないため、別のＣＳ−ＧＷ１３ｂを選択する（Ｓ１４２）。ＣＳ−ＧＷ１３ｂは、ＳＧＳＮからＣＳ単独位置登録信号を受信した場合、ＣＳ単独位置登録信号をＨＬＲ１０に通知する（Ｓ１４３）。
【００１９】
ＨＬＲ１０は、以下の処理を行う（Ｓ１４４）。ＨＬＲ１０は、ＰＳ単独位置登録信号を受信した場合、ＨＬＲ１０において在圏しているＳＧＳＮ１１をチェックしているので、ＳＧＳＮ１１に対してプロファイル情報消去は指示しない（Ｓ１４４）。また、ＨＬＲ１０は、ＣＳ単独位置登録信号を受信した場合、ＨＬＲ１０において在圏しているＣＳ−ＧＷをチェックしているので、ＣＳ−ＧＷ１３ｂに対してプロファイル情報消去を指示する（Ｓ１４４）。
以上のように、ＣＳ呼、ＰＳ呼についてそれぞれ単独の位置登録信号を送信する場合については、問題は生じない。
【００２０】
次に、図２１を参照して、ＣＯＭＢＩＮＥＤ位置登録信号を用いる場合について説明する。
図２１の例においても、図２０の場合と同様に、ＣＳ−ＧＷ１３ａおよび１３ｂ、Ｉ／Ｓ−ＣＳＣＦ１４、ＡＳ１５、によって、ＳＧＳＮ１１からＨＬＲ１０に至るまでのネットワークが構成されている。
【００２１】
図２１において、ＨＬＲの障害や動作の再開等が発生した場合に、ＳＧＳＮ１１にはＬＩＣＨフラグがセットされる。ＬＩＣＨフラグがセットされている場合において、移動端末ＭＴが位置登録信号を出力すると、ＳＧＳＮ１１は、ＣＯＭＢＩＮＥＤ位置登録を実施するため、ＣＯＭＢＩＮＥＤ位置登録信号を送信する（Ｓ１５１）。このとき、ＣＳ−ＧＷ１３ａについては、回線故障等により選択できないため、別のＣＳ−ＧＷ１３ｂを選択する（Ｓ１５２）。ＣＳ−ＧＷ１３ｂは、ＳＧＳＮからＣＯＭＢＩＮＥＤ位置登録信号を受信した場合、ＣＯＭＢＩＮＥＤ位置登録信号をＨＬＲ１０に通知する（Ｓ１５３）。
ＨＬＲ１０は、以下の処理を行う（Ｓ１５４）。ＨＬＲ１０は、ＣＯＭＢＩＮＥＤ位置登録を受信した場合、ＳＧＳＮとＣＳ−ＧＷが両方変わったと認識してしまい、ＳＧＳＮ、ＣＳ−ＧＷの両方に対してプロファイル情報消去を指示する。
【００２２】
この図ではＨＬＲ１０でプロファイル情報消去を指示しているが、ＡＳ１５で判断する形式も存在する。その場合でも、ＳＧＳＮ、ＣＳ−ＧＷの両方に対してプロファイル情報消去を指示することになり、やはり同様の問題が生じる。
これにより、ＳＧＳＮに記憶されているプロファイル情報が削除されてしまい、移動端末ＭＴについての位置登録を行うことができない（Ｓ１５５）。
したがって、ＣＳ呼、ＰＳ呼についてそれぞれ単独の位置登録信号を、ＣＯＭＢＩＮＥＤ位置登録信号にそのまま置き換えた場合、現在在圏のＳＧＳＮに記憶されているプロファイル情報が削除され、位置登録を行うことができない。
【００２３】
（ＣＯＭＢＩＮＥＤ位置登録信号を用いる場合の問題）
ＣＯＭＢＩＮＥＤ位置登録信号を用いる場合の詳細な動作例について、図２２を参照して説明する。
図２２は、ＳＧＳＮ１１ａおよび１１ｂ、ＣＳ−ＧＷ１３ａおよび１３ｂ、Ｉ／Ｓ−ＣＳＣＦ１４ａおよび１４ｂ、ＡＳ１５ａおよび１５ｂ、ＨＬＲ１０によって構成されるネットワークの例を示す図である。ＳＧＳＮ１１ａは、接続先のＣＳ−ＧＷのノード番号、および、Ｇｓ−Ａｓｓ（Ｇｓ−Ａｓｓｏｃｉａｔｉｏｎ）状態（ＳＧＳＮとＭＳＣとの間が連携している状態）に関する情報を保持している。また、ＣＳ−ＧＷ１３ａ、ＣＳ−ＧＷ１３ｂは、接続先のＡＳのノード番号、Ｉ／Ｓ−ＣＳＣＦのノード番号、ＳＧＳＮのノード番号、および、Ｇｓ−Ａｓｓの状態に関する情報をそれぞれ保持している。ＡＳ１５ａは、接続先のＣＳ−ＧＷのノード番号を保持している。
【００２４】
図２２において、移動端末ＭＴがＣＯＭＢＩＮＥＤアタッチを行い（Ｓ１６１）、位置登録信号を出力すると、ＳＧＳＮ１１は、ＣＯＭＢＩＮＥＤ位置登録を実施するため、ＣＳ−ＧＷ１３ｂへＢＳＳＡＰ＋  ＣＯＭＢＩＮＥＤ  ＬＯＣＡＴＩＯＮ  ＵＰＤＡＴＥ  ＲＥＱＵＥＳＴを送信する（Ｓ１６２）。ＣＳ−ＧＷ１３ｂは、ＣＯＭＢＩＮＥＤ位置登録を受信した場合、Ｉｎｔｅｒ−ＳＧＳＮと認識し、ＳＩＰ  ＲＥＧＩＳＴＥＲにＩｎｔｅｒ−ＳＧＳＮを設定する（Ｓ１６３）。ＣＳ−ＧＷ１３ｂが送信した、ＳＩＰ  ＲＥＧＩＳＴＥＲ（Ｉｎｔｅｒ−ＳＧＳＮ  ／  Ｉｎｔｅｒ−ＣＳ−ＧＷ）は、Ｉ／Ｓ−ＣＳＣＦ１４ｂを経由して、ＡＳ１５ａに送られる（Ｓ１６４、Ｓ１６５）。このＳＩＰ  ＲＥＧＩＳＴＥＲ（Ｉｎｔｅｒ−ＳＧＳＮ  ／  Ｉｎｔｅｒ−ＣＳ−ＧＷ）を受信したＡＳ１５ａは、ＭＡＰ  ＣＯＭＢＩＮＥＤ  ＵＰＤＡＴＥ  ＬＯＣＡＴＩＯＮ  ＲＥＱＵＥＳＴをＨＬＲ１０へ送信する（Ｓ１６６）。なお、ＨＬＲ１０は、ＭＡＰ＿Ｃａｎｃｅｌ  Ｌｏｃａｔｉｏｎ(以降ＣＬと記すこともある)を送信しない（Ｓ１６７）。
【００２５】
ところで、ＡＳ１５ａは、Ｉ／Ｓ−ＣＳＣＦから「Ｉｎｔｅｒ−ＳＧＳＮ」と通知されているため、ＳＧＳＮ跨りであると認識し、ＭＡＰ＿ＣＬに「ＵＭＳＣ」を設定し、ＣＳ−ＧＷに向けて送信する（Ｓ１６８）。なお、ＭＡＰ＿ＣＬに「ＵＭＳＣ」を設定した場合、「ＶＬＲ」、「ＳＧＳＮ」の両方にそれぞれ保持されているプロファイル情報を削除しようとする。ＡＳ１５ａは、ＳＩＰ  ＮｏｔｉｆｙおよびＭＡＰ＿ＣＬを送信する（Ｓ１６９ａ、Ｓ１６９ｂ）。
ＭＡＰ＿ＣＬを受信したＣＳ−ＧＷ１３ａは、ＡＳ１５ａから「ＵＭＳＣ」指定でキャンセル信号を受けているので、ＳＧＳＮ１１ａへキャンセル信号を送信する（Ｓ１７０）。ＣＳ−ＧＷ１３ａは、ＭＡＰ＿ＣＬを送信する（Ｓ１７１）。ＳＧＳＮ１１ａは、キャンセル信号を受信すると、保持していたプロファイル情報を削除してしまう（Ｓ１７２）。
【００２６】
以上のように、ＳＧＳＮが変更になった場合に送信されるＣＯＭＢＩＮＥＤ位置登録については問題が無い。しかしながら、ＳＧＳＮが変更にならなくてもＣＯＭＢＩＮＥＤ位置登録が送信される場合があり、これをＡＳが受信すると、旧ＳＧＳＮ（実際は、移動していないので現在在圏のエリアに対応するＳＧＳＮ）に記憶されているプロファイル情報を削除する指示を出すので、問題となる。
また、一般的なＳＧＳＮとＶＬＲとを備えたネットワークの場合にも同様の問題が生じる。
【００２７】
この問題について図２３、図２４を参照して説明する。
まず、図２３を参照して、ＣＯＭＢＩＮＥＤ位置登録信号ではなく、ＣＳ呼、ＰＳ呼についてそれぞれ単独の位置登録信号を送信する場合について説明する。
図２３の例では、ＳＧＳＮ１１からＨＬＲ１０に至るまでのネットワークに、ＶＬＲ２１および２２が設けられている。
【００２８】
図２３において、ＨＬＲの障害や動作の再開等が発生した場合に、ＳＧＳＮ１１にはＬＩＣＨフラグがセットされる。ＬＩＣＨフラグがセットされている場合において、移動端末ＭＴが位置登録信号を出力すると、ＳＧＳＮ１１は、ＣＳ呼、ＰＳ呼について、それぞれ単独に位置登録信号を送信する（Ｓ１４１ａ）。このとき、ＶＬＲ２１については、回線故障等により選択できないため、別のＶＬＲ２２を選択する（Ｓ１４２ａ）。ＣＳ−ＧＷ１３ｂは、ＳＧＳＮからＣＳ単独位置登録信号を受信した場合、ＣＳ単独位置登録信号をＨＬＲ１０に通知する（Ｓ１４３ａ）。
【００２９】
ＨＬＲ１０は、以下の処理を行う（Ｓ１４４ａ）。ＨＬＲ１０は、ＰＳ単独位置登録信号を受信した場合、ＨＬＲ１０において在圏しているＳＧＳＮ１１をチェックしているので、ＳＧＳＮ１１に対してプロファイル情報消去は指示しない（Ｓ１４４ａ）。また、ＨＬＲ１０は、ＣＳ単独位置登録信号を受信した場合、ＨＬＲ１０において在圏しているＶＬＲをチェックしているので、ＶＬＲに対してプロファイル情報消去を指示する（Ｓ１４４ａ）。
以上のように、ＣＳ呼、ＰＳ呼についてそれぞれ単独の位置登録信号を送信する場合については、問題は生じない。
【００３０】
次に、図２４を参照して、ＣＯＭＢＩＮＥＤ位置登録信号を用いる場合について説明する。
図２４の例においても、図２３の場合と同様に、ＳＧＳＮ１１からＨＬＲ１０に至るまでのネットワークに、ＶＬＲ２１および２２が設けられている。
図２４において、ＨＬＲの障害や動作の再開等が発生した場合に、ＳＧＳＮ１１にはＬＩＣＨフラグがセットされる。ＬＩＣＨフラグがセットされている場合において、移動端末ＭＴが位置登録信号を出力すると、ＳＧＳＮ１１は、ＣＯＭＢＩＮＥＤ位置登録を実施するため、ＣＯＭＢＩＮＥＤ位置登録信号を送信する（Ｓ１５１ａ）。このとき、ＶＬＲ２１については、回線故障等により選択できないため、別のＶＬＲ２２を選択する（Ｓ１５２ａ）。ＶＬＲ２２は、ＳＧＳＮからＣＯＭＢＩＮＥＤ位置登録信号を受信した場合、ＣＯＭＢＩＮＥＤ位置登録信号をＨＬＲ１０に通知する（Ｓ１５３ａ）。
【００３１】
ＨＬＲ１０は、以下の処理を行う（Ｓ１５４ａ）。ＨＬＲ１０は、ＣＯＭＢＩＮＥＤ位置登録を受信した場合、ＳＧＳＮとＶＬＲが両方変わったと認識してしまい、ＳＧＳＮ、ＶＬＲの両方に対してプロファイル情報消去を指示する。
これにより、ＳＧＳＮに記憶されているプロファイル情報が削除されてしまい、移動端末ＭＴについての位置登録を行うことができない（Ｓ１５５ａ）。
したがって、ＣＳ呼、ＰＳ呼についてそれぞれ単独の位置登録信号を、ＣＯＭＢＩＮＥＤ位置登録信号にそのまま置き換えた場合、現在在圏のＳＧＳＮに記憶されているプロファイル情報が削除され、位置登録を行うことができない。
【００３２】
図２５は、ＳＧＳＮ１１ａおよび１１ｂ、ＶＬＲ２１および２２、ＨＬＲ１０によって構成されるネットワークの例を示す図である。ＳＧＳＮ１１ａは、接続先のＶＬＲのノード番号、および、Ｇｓ−Ａｓｓ状態に関する情報を保持している。また、ＶＬＲ２１、２２は、接続先のＳＧＳＮのノード番号、および、Ｇｓ−Ａｓｓの状態に関する情報をそれぞれ保持している。
【００３３】
図２５において、移動端末ＭＴがＣＯＭＢＩＮＥＤアタッチを行い（Ｓ１６１ａ）、位置登録信号を出力すると、ＳＧＳＮ１１は、ＣＯＭＢＩＮＥＤ位置登録を実施するため、ＶＬＲ２２へＢＳＳＡＰ＋  ＣＯＭＢＩＮＥＤ  ＬＯＣＡＴＩＯＮ  ＵＰＤＡＴＥ  ＲＥＱＵＥＳＴを送信する（Ｓ１６２ａ）。ＶＬＲ２２は、ＣＯＭＢＩＮＥＤ位置登録を受信した場合、Ｉｎｔｅｒ−ＳＧＳＮと認識する（Ｓ１６３ａ）。そして、ＶＬＲ２２は、ＭＡＰ  ＣＯＭＢＩＮＥＤ  ＵＰＤＡＴＥ  ＬＯＣＡＴＩＯＮ  ＲＥＱＵＥＳＴをＨＬＲ１０へ送信する（Ｓ１６６ａ）。
【００３４】
ＨＬＲ１０は、新在圏エリアに対応するＶＬＲ２２から、ＣＯＭＢＩＮＥＤ位置登録と通知されているため、ＳＧＳＮ、ＶＬＲともに変更があったと認識し、旧在圏エリアに対応するＶＬＲ２１に対するＭＡＰ＿Ｃａｎｃｅｌ  Ｌｏｃａｔｉｏｎ(以降ＣＬと記すこともある)に「ＵＭＳＣ」を設定し（Ｓ１６８ａ）、ＶＬＲ２１に向けて送信する（Ｓ１６９ｂ）。なお、ＭＡＰ＿ＣＬに「ＵＭＳＣ」を設定した場合、「ＶＬＲ」、「ＳＧＳＮ」の両方にそれぞれ保持されているプロファイル情報を削除しようとすることになる。
【００３５】
ＭＡＰ＿ＣＬを受信したＶＬＲ２１は、「ＵＭＳＣ」指定でキャンセル信号を受けているので、ＳＧＳＮ１１ａへキャンセル信号を送信する（Ｓ１７０ａ）。すなわち、ＶＬＲ２１は、キャンセル信号ＭＡＰ＿ＣＬをＳＧＳＮ１１ａへ送信する（Ｓ１７１ａ）。ＳＧＳＮ１１ａは、キャンセル信号ＭＡＰ＿ＣＬを受信すると、保持していたプロファイル情報を削除してしまう（Ｓ１７２ａ）。
以上のように、ＳＧＳＮが変更になった場合に送信されるＣＯＭＢＩＮＥＤ位置登録については問題が無い。しかしながら、ＳＧＳＮが変更にならなくてもＣＯＭＢＩＮＥＤ位置登録が送信される場合があり、これをＨＬＲが受信すると、旧ＳＧＳＮ（実際は、移動していないので現在在圏のエリアに対応するＳＧＳＮ）に記憶されているプロファイル情報を削除する指示を出すので、問題となる。
【００３６】
上述したように、ＬＩＣＨ＝Ｎｏｔ  Ｃｏｎｆｉｒｍｅｄのように、ＳＧＳＮは変わっていない（Ｉｎｔｒａ−ＳＧＳＮ）がそれでも位置登録を行いたい場合がある。このような場合に、ＣＳ／ＰＳ単独位置登録を行うと、２つの位置登録信号を送信することになり、ＨＬＲ宛の位置登録信号数が増えてしまう。ＨＬＲ宛の位置登録信号数を削減するために、ＣＯＭＢＩＮＤＥ位置登録を用いようとしても、既存技術ではＩｎｔｒａ−ＳＧＳＮの場合に在圏ＳＧＳＮのプロファイル情報を削除してしまうため、問題があり、用いることができない。
本発明は上述した従来技術の問題点を解決するためになされたものであり、その目的はＩｎｔｒａ−ＳＧＳＮの場合でも、問題無く、ＣＯＭＢＩＮＥＤ位置登録信号を用いることができるようにした移動通信システム、位置登録方法を提供することである。
【課題を解決するための手段】
【００３７】
本発明の一態様による移動通信システムは、移動端末に関する位置登録信号を受信した場合に、該移動端末が在圏していたエリアである旧在圏エリアに対応する交換機宛てに、該移動端末に関する加入者プロファイル情報を削除する指示を含む削除指示信号を送信する第１の装置と、移動端末の在圏エリアが変更になっていない場合でも送信すべき位置登録信号に、前記第１の装置による前記削除指示信号の送信を抑止するための送信抑止情報を含めて、前記第１の装置宛てに送信する第２の装置と、を含むことを特徴とする。このような構成によれば、Ｉｎｔｒａ−ＳＧＳＮの場合でもＣＯＭＢＩＮＥＤ位置登録信号を用いることができるようになる。
【００３８】
また、前記位置登録信号は、回線接続に関する位置登録処理とパケット接続に関する位置登録処理とをまとめて行うためのＣＯＭＢＩＮＥＤ位置登録信号であってもよい。このような構成によれば、ＳＧＳＮが変わっていない場合の強制的な位置登録でもＣＯＭＢＩＮＥＤ位置登録信号を用いることができるようになるため、ＣＳ／ＰＳ単独の位置登録信号を用いる場合に比べて信号数を少なくできるので、ＨＬＲの負荷を軽減できる。
さらに、前記移動端末の在圏エリアが変更になっていない場合でも送信すべき位置登録信号は、前記加入者プロファイル情報の“Ｌｏｃａｔｉｏｎ  Ｉｎｆｏｒｍａｔｉｏｎ  Ｃｏｎｆｉｒｍｅｄ  ｉｎ  ＨＬＲ”が“Ｎｏｔ  Ｃｏｎｆｉｒｍｅｄ”に設定されている場合に送信される位置登録信号であってもよい。
【００３９】
なお、前記移動端末の在圏エリアが変更になっていない場合でも送信すべき位置登録信号は、前記交換機に保持されている加入者プロファイル情報が正確でない可能性がある場合に送信される位置登録信号であってもよい。ＳＧＳＮが保持している加入者プロファイル情報の正確性に自信がない場合など、移動端末の位置登録を強制的に行う場合において、ＳＧＳＮが変化していない状況においても、ＣＯＭＢＩＮＥＤ位置登録を行うときに、ＳＧＳＮに保持されている加入者のプロファイル情報を削除する指示を出さないようにすることにより、移動端末を用いた通信に支障が生じないようにすることができる。
【００４０】
本発明の一態様による位置登録方法は、移動端末に関する位置登録信号を受信した場合に、該移動端末が在圏していたエリアである旧在圏エリアに対応する交換機宛てに、該移動端末に関する加入者プロファイル情報を削除する指示を含む削除指示信号を第１の装置が送信する第１ステップと、移動端末の在圏エリアが変更になっていない場合でも送信すべき位置登録信号に、前記第１の装置による前記削除指示信号の送信を抑止するための送信抑止情報を含めて、前記第１の装置宛てに第２の装置が送信する第２ステップと、を含む位置登録方法が実現されている。この方法により、Ｉｎｔｒａ−ＳＧＳＮの場合でも、問題が生じることなく、ＣＯＭＢＩＮＥＤ位置登録信号を用いることができる。
【発明の効果】
【００４１】
本発明によれば、パラメータを追加し、削除してはいけない旨のフラグ、削除禁止を示すフラグとして機能させることにより、例えばＬＩＣＨ＝Ｎｏｔ  Ｃｏｎｆｉｒｍｅｄの場合でも、問題が生じることなくＣＯＭＢＩＮＥＤ位置登録信号を用いることができる。
【図面の簡単な説明】
【００４２】
【図１】本発明の実施形態による移動通信システムの構成例を示すブロック図である。
【図２】本発明の実施形態による移動通信システムを実現する場合の第１案に対応する構成を示す図である。
【図３】本発明の実施形態による移動通信システムを実現する場合の第２案に対応する構成を示す図である。
【図４】第１案を採用した場合の移動通信システムの動作例を示すフローチャートである。
【図５】第２案を採用した場合の移動通信システムの動作例を示すフローチャートである。
【図６】第１案において、Ｉｎｔｒａ−ＳＧＳＮ、Ｉｎｔｅｒ−ＣＳ−ＧＷ、ＡＳ跨りなし、の場合の信号授受を示すシーケンス図である。
【図７】第１案において、Ｉｎｔｒａ−ＳＧＳＮ、Ｉｎｔｅｒ−ＣＳ−ＧＷ、ＡＳ跨りあり、の場合の信号授受を示すシーケンス図である。
【図８】第２案において、Ｉｎｔｒａ−ＳＧＳＮ、Ｉｎｔｅｒ−ＣＳ−ＧＷ、ＡＳ跨りなし、の場合の信号授受を示すシーケンス図である。
【図９】第２案において、Ｉｎｔｒａ−ＳＧＳＮ、Ｉｎｔｅｒ−ＣＳ−ＧＷ、ＡＳ跨りあり、の場合の信号授受を示すシーケンス図である。
【図１０】本発明の実施形態による移動通信システムの変形例１の構成を示す図であり、ＨＬＲおよびＶＬＲを含む場合の構成例を示す図である。
【図１１】図１０の構成を採用した移動通信システムの動作例を示すフローチャートである。
【図１２】図１０の構成を採用した移動通信システムの信号授受を示すシーケンス図である。
【図１３】本発明の実施形態による移動通信システムの変形例２の構成を示す図であり、ＨＬＲおよびＶＬＲを含む場合の構成例を示す図である。
【図１４】図１３の構成を採用した移動通信システムの動作例を示すフローチャートである。
【図１５】図１３の構成を採用した移動通信システムの信号授受を示すシーケンス図である。
【図１６】ＣＳ呼、ＰＳ呼に関して、それぞれ単独に位置登録信号を送信する場合を示す図である。
【図１７】ＣＳ呼、ＰＳ呼に関して、ＣＯＭＢＩＮＥＤ位置登録信号を送信する場合を示す図である。
【図１８】ＳＧＳＮのみ変更がある場合を示す図である。
【図１９】ＶＬＲのみ変更がある場合を示す図である。
【図２０】ＣＯＭＢＩＮＥＤ位置登録信号ではなく、ＣＳ呼、ＰＳ呼についてそれぞれ単独の位置登録信号を送信する場合を示す図である。
【図２１】ＣＯＭＢＩＮＥＤ位置登録信号を用いる場合を示す図である。
【図２２】ＣＯＭＢＩＮＥＤ位置登録信号を用いる場合の詳細な動作例を示す図である。
【図２３】ＣＯＭＢＩＮＥＤ位置登録信号ではなく、ＣＳ呼、ＰＳ呼についてそれぞれ単独の位置登録信号を送信する場合の他の例を示す図である。
【図２４】ＣＯＭＢＩＮＥＤ位置登録信号を用いる場合の他の例を示す図である。
【図２５】ＣＯＭＢＩＮＥＤ位置登録信号を用いる場合の詳細な動作例の他の例を示す図である。
【発明を実施するための形態】
【００４３】
以下、本発明の実施の形態を、図面を参照して説明する。なお、以下の説明において参照する各図では、他の図と同等部分は同一符号によって示されている。
（移動通信システムの構成例）
図１は、本発明の実施形態による移動通信システムの構成例を示すブロック図である。同図を参照すると、本実施形態による移動通信システムは、第１の装置１と、第２の装置と、交換機３とを備えている。
第１の装置１は、移動端末ＭＴに関する位置登録信号を受信した場合に、移動端末ＭＴが在圏していたエリアである旧在圏エリアに対応する交換機３宛てに、移動端末ＭＴに関する加入者プロファイル情報を削除する指示を含む削除指示信号を送信する機能を有している。
【００４４】
また、第２の装置は、移動端末ＭＴの在圏エリアが変更になっていない場合でも送信すべき位置登録信号に、第１の装置１による削除指示信号の送信を抑止するための送信抑止情報を含めて、第１の装置１宛てに送信する機能を有している。
このような構成を移動通信システムに備えることにより、例えばＬＩＣＨ＝Ｎｏｔ  Ｃｏｎｆｉｒｍｅｄの場合でも、問題が生じることなくＣＯＭＢＩＮＥＤ位置登録信号を用いることができる。
以下、より具体的に、本実施形態による移動通信システムについて説明する。
【００４５】
（移動通信システムの概要）
上述した問題を解決するため、本実施形態では、強制的に位置登録を行うための信号に、Ｉｎｔｅｒ−ＳＧＳＮであるか、Ｉｎｔｒａ−ＳＧＳＮであるかを示すパラメータを追加する。このパラメータの追加により、Ｉｎｔｅｒ−ＳＧＳＮであるか、Ｉｎｔｒａ−ＳＧＳＮであるかを識別することができるので、ＣＯＭＢＩＮＥＤ位置登録信号を用いた場合であっても、問題なく位置登録処理を行うことができるようになる。より具体的には、以下のようになる。
【００４６】
（Ａ）ＳＧＳＮが変わらない場合（Ｉｎｔｒａ−ＳＧＳＮ）
この場合、通常時であれば、ＳＧＳＮからＣＳ−ＧＷへ、ＢＳＳＡＰ＋プロトコルによるＬＯＣＡＴＩＯＮ  ＵＰＤＡＴＥ  ＲＥＱＵＥＳＴを送信し、ＣＳ−ＧＷからＨＬＲへ、ＭＡＰ＿ＵＰＤＡＴＥ  ＬＯＣＡＴＩＯＮ  ＲＥＱＵＥＳＴを送信する。
一方、強制的に位置登録を実施する場合は、ＳＧＳＮからＣＳ−ＧＷへ、ＢＳＳＡＰ＋プロトコルを拡張したＣＯＭＢＩＮＥＤ  ＬＯＣＡＴＩＯＮ  ＵＰＤＡＴＥ  ＲＥＱＵＥＳＴを送信する。このＣＯＭＢＩＮＥＤ  ＬＯＣＡＴＩＯＮ  ＵＰＤＡＴＥ  ＲＥＱＵＥＳＴには、パラメータ「Ｉｎｔｒａ−ＳＧＳＮ」が追加されている。また、ＣＳ−ＧＷからＨＬＲへ、ＭＡＰ＿ＣＯＭＢＩＮＥＤ  ＵＰＤＡＴＥ  ＬＯＣＡＴＩＯＮ  ＲＥＱＵＥＳＴを送信する。このようにパラメータを追加することにより、ＳＧＳＮに変更がない、Ｉｎｔｒａ−ＳＧＳＮでもＣＯＭＢＩＮＥＤ位置登録信号を用いることができる。
【００４７】
（Ｂ）ＳＧＳＮが変わる場合（Ｉｎｔｅｒ−ＳＧＳＮ）
３ＧＰＰの標準機能に従う場合、２つの信号を送信する。ＳＧＳＮからＣＳ−ＧＷへ、３ＧＰＰ標準のＢＳＳＡＰ＋プロトコルによるＬＯＣＡＴＩＯＮ  ＵＰＤＡＴＥ  ＲＥＱＵＥＳＴを送信し、ＣＳ−ＧＷからＨＬＲへ、ＭＡＰ＿ＵＰＤＡＴＥ  ＬＯＣＡＴＩＯＮ  ＲＥＱＵＥＳＴを送信する。さらに、ＳＧＳＮからＨＬＲへ、ＭＡＰ＿ＵＰＤＡＴＥ  ＧＰＲＳ  ＬＯＣＡＴＩＯＮ  ＲＥＱＵＥＳＴを送信する。
一方、ＣＯＭＢＩＮＥＤ位置登録信号を送信する場合、ＳＧＳＮからＣＳ−ＧＷへ、３ＧＰＰ標準のＢＳＳＡＰ＋プロトコルを拡張したＣＯＭＢＩＮＥＤ  ＬＯＣＡＴＩＯＮ  ＵＰＤＡＴＥ  ＲＥＱＵＥＳＴを送信し、ＣＳ−ＧＷからＨＬＲへ、ＭＡＰ＿ＣＯＭＢＩＮＥＤ  ＵＰＤＡＴＥ  ＬＯＣＡＴＩＯＮ  ＲＥＱＵＥＳＴを送信する。
【００４８】
（ＣＯＭＢＩＮＥＤ位置登録信号）
ここで、ＣＯＭＢＩＮＥＤ位置登録信号については、例えば、以下の２つの案が考えられる。
第１案は、以下の通りである。すなわち、ＳＧＳＮからＣＳ−ＧＷへの信号については、ＣＯＭＢＩＮＥＤ位置登録信号に「Ｉｎｔｒａ−ＳＧＳＮ」を示すパラメータを追加する。また、ＣＳ−ＧＷから、Ｉ／Ｓ−ＣＳＣＦを経由する、ＡＳへの信号については、ＳＩＰ信号を用いて「Ｉｎｔｒａ−ＳＧＳＮ／Ｉｎｔｅｒ−ＣＳ−ＧＷ」を示す内容とし、ＣＯＭＢＩＮＥＤ位置登録指示とする。さらに、ＡＳからＨＬＲへの信号については、ＣＯＭＢＩＮＥＤ位置登録信号を用いて「Ｉｎｔｒａ−ＳＧＳＮ／Ｉｎｔｅｒ−ＣＳ−ＧＷ」を示す内容とする。
【００４９】
一方、第２案は、以下の通りである。すなわち、ＳＧＳＮからＣＳ−ＧＷへの信号については、第１案と同様に、ＣＯＭＢＩＮＥＤ位置登録信号に「Ｉｎｔｒａ−ＳＧＳＮ」を示すパラメータを追加する。また、ＣＳ−ＧＷから、Ｉ／Ｓ−ＣＳＣＦを経由する、ＡＳへの信号については、ＳＩＰ信号を用いて「Ｉｎｔｅｒ−ＳＧＳＮ／Ｉｎｔｅｒ−ＣＳ−ＧＷ」を示す内容とし、「Ｉｎｔｒａ−ＳＧＳＮ」を示すパラメータを追加する。さらに、ＡＳからＨＬＲへの信号については、ＣＯＭＢＩＮＥＤ位置登録信号に「Ｉｎｔｅｒ−ＳＧＳＮ／Ｉｎｔｅｒ−ＣＳ−ＧＷ」を示す内容とし、「Ｉｎｔｒａ−ＳＧＳＮ」を示すパラメータを追加する。
【００５０】
以下、第１案、第２案について、それぞれ説明する。
（第１案）
第１案では、ＳＧＳＮが変わらない場合、ＣＯＭＢＩＮＥＤ位置登録信号に「ＳＧＳＮが変わっていない」ことを識別するパラメータを追加する。また、ＣＳ−ＧＷからＩ／Ｓ−ＣＳＣＦを経由してＡＳへ送信する信号に、「ＣＯＭＢＩＮＥＤ位置登録」を指示するパラメータを追加する。したがって、本例による移動通信システムを実現する場合、ネットワークを構成する各ノードにおいて、機能を追加または変更する必要がある。
【００５１】
図２において、回線故障等により、ＳＧＳＮ１１がＣＳ−ＧＷ１３ａを選択できない場合（ステップＳ２１）、ＳＧＳＮ１１は別のＣＳ−ＧＷ１３ｂを選択してＣＯＭＢＩＮＥＤ位置登録を実施する。このＣＯＭＢＩＮＥＤ位置登録を行う際「ＳＧＳＮは変わっていない」ことを示す新規パラメータを追加する（ステップＳ２２）。
このパラメータの追加により、ＣＳ−ＧＷ１３ｂは、ＳＧＳＮ１１からＣＯＭＢＩＮＥＤ位置登録信号を受信した場合、新規パラメータからＳＧＳＮは変わっていないと認識する。そこで、ＣＳ−ＧＷ１３ｂは、ＨＬＲ１０に対してＳＧＳＮ１１は変わっていないが、ＣＯＭＢＩＮＥＤ位置登録をするように指示する（ステップＳ２３）。
【００５２】
Ｉ／Ｓ−ＣＳＣＦ１４、ＡＳ１５は、ＣＳ−ＧＷ１３ｂからのＣＯＭＢＩＮＥＤ位置登録信号をＨＬＲ１０に中継する（ステップＳ２４）。
ＨＬＲ１０は、ＣＳ−ＧＷ１３ｂからのＣＯＭＢＩＮＥＤ位置登録信号を受信すると、ＣＳ−ＧＷのみ変わったと認識し、ＣＳ−ＧＷに対してのみプロファイル情報消去を指示する（ステップＳ２５）。これにより、ＣＳ−ＧＷ１３ａに保持されているプロファイル情報のみが消去される（ステップＳ２６）。
【００５３】
（第２案）
第２案では、ＳＧＳＮが変わらない場合、ＣＯＭＢＩＮＥＤ位置登録信号に「ＳＧＳＮが変わっていない」ことを識別するパラメータを追加する。また、ＣＳ−ＧＷからＩ／Ｓ−ＣＳＣＦを経由してＡＳへ送信する信号に、「Ｉｎｔｒａ−ＳＧＳＮ」を示すパラメータを追加する。したがって、本例による移動通信システムを実現する場合、ネットワークを構成する各ノードにおいて、機能を追加または変更する必要がある。
【００５４】
図３において、回線故障等により、ＳＧＳＮ１１がＣＳ−ＧＷ１３ａを選択できない場合（ステップＳ２１）、ＳＧＳＮ１１は別のＣＳ−ＧＷ１３ｂを選択してＣＯＭＢＩＮＥＤ位置登録を実施する。このＣＯＭＢＩＮＥＤ位置登録を行う際「ＳＧＳＮは変わっていない」ことを示す新規パラメータを追加する（ステップＳ２２）。
このパラメータの追加により、ＣＳ−ＧＷ１３ｂは、ＳＧＳＮ１１からＣＯＭＢＩＮＥＤ位置登録信号を受信した場合、新規パラメータからＳＧＳＮは変わっていないと認識する。そこで、ＣＳ−ＧＷ１３ｂは、ＨＬＲ１０に対してＳＧＳＮは変わっていないが、ＣＳ−ＧＷは変わったと通知する（ステップＳ２３’）。
【００５５】
Ｉ／Ｓ−ＣＳＣＦ１４、ＡＳ１５は、ＣＳ−ＧＷ１３ｂからのＣＯＭＢＩＮＥＤ位置登録信号をＨＬＲ１０に中継する（ステップＳ２４）。
ＨＬＲ１０は、ＣＳ−ＧＷ１３ｂからのＣＯＭＢＩＮＥＤ位置登録信号を受信すると、ＣＳ−ＧＷのみ変わったと認識し、ＣＳ−ＧＷに対してのみプロファイル情報消去を指示する（ステップＳ２５）。これにより、ＣＳ−ＧＷ１３ａに保持されているプロファイル情報のみが消去される（ステップＳ２６）。
【００５６】
（第１案を採用した場合の動作例）
図４は、第１案を採用した場合の移動通信システムの動作例を示すフローチャートである。
最初に、Ｉｎｔｒａ−ＳＧＳＮの位置登録か判定する（ステップＳ１１）。ステップＳ１１の判定の結果、Ｉｎｔｒａ−ＳＧＳＮの位置登録ではなく、Ｉｎｔｅｒ−ＳＧＳＮの位置登録であれば（ステップＳ１１：ＮＯ）、既存の動作が行われる（ステップＳ１２）。すなわち、Ｉｎｔｅｒ−ＳＧＳＮであるため、ＣＯＭＢＩＮＥＤ位置登録が行われる。
【００５７】
一方、ステップＳ１１の判定の結果、Ｉｎｔｒａ−ＳＧＳＮの位置登録であれば（ステップＳ１１：ＹＥＳ）、次に、強制的にＣＯＭＢＩＮＥＤ位置登録を実施するケースか判定する（ステップＳ１３）。つまり、ＬＩＣＨ＝  Ｎｏｔ  Ｃｏｎｆｉｒｍｅｄや、ＳＤＣＨ＝  Ｎｏｔ  Ｃｏｎｆｉｒｍｅｄのように、在圏が変わっていなくてもＨＬＲに対して位置登録を実施する必要がある場合か判定する。ステップＳ１３の判定の結果、強制的にＣＯＭＢＩＮＥＤ位置登録を実施するケースでなければ（ステップＳ１３：ＮＯ）、既存の動作が行われる（ステップＳ１４）。すなわち、通常のＣＳ位置登録が行われる。
また、ステップＳ１３の判定の結果、強制的にＣＯＭＢＩＮＥＤ位置登録を実施するケースであれば（ステップＳ１３：ＹＥＳ）、ＳＧＳＮからＣＳ−ＧＷへのＣＯＭＢＩＮＥＤ信号に「Ｉｎｔｒａ−ＳＧＳＮ」を示すパラメータを設定する（ステップＳ１５）。
【００５８】
さらに、ＣＳ−ＧＷからＩ／Ｓ−ＣＳＣＦを経由してＡＳへ送信されるＳＩＰ信号に、Ｉｎｔｒａ−ＳＧＳＮではあるが「ＣＯＭＢＩＮＥＤ位置登録」を実施するよう指示するパラメータを追加する（ステップＳ１６）。このパラメータが追加されたことにより、コアネットワークでは、Ｉｎｔｒａ−ＳＧＳＮでもＣＯＭＢＩＮＥＤ位置登録信号を用いて、ＨＬＲに対して位置登録を行う（ステップＳ１７）。
なお、Ｉｎｔｒａ−ＳＧＳＮであるので、ＡＳ、ＨＬＲは旧在圏ＳＧＳＮのプロファイル情報削除を行わない（ステップＳ１８）。
【００５９】
（第２案を採用した場合の動作例）
図５は、第２案を採用した場合の移動通信システムの動作例を示すフローチャートである。
最初に、Ｉｎｔｒａ−ＳＧＳＮの位置登録か判定する（ステップＳ１１）。ステップＳ１１の判定の結果、Ｉｎｔｒａ−ＳＧＳＮの位置登録ではなく、Ｉｎｔｅｒ−ＳＧＳＮの位置登録であれば（ステップＳ１１：ＮＯ）、既存の動作が行われる（ステップＳ１２）。すなわち、Ｉｎｔｅｒ−ＳＧＳＮであるため、ＣＯＭＢＩＮＥＤ位置登録が行われる。
【００６０】
一方、ステップＳ１１の判定の結果、Ｉｎｔｒａ−ＳＧＳＮの位置登録であれば（ステップＳ１１：ＹＥＳ）、次に、強制的にＣＯＭＢＩＮＥＤ位置登録を実施するケースか判定する（ステップＳ１３）。つまり、ＬＩＣＨ  ＝  Ｎｏｔ  Ｃｏｎｆｉｒｍｅｄや、ＳＤＣＨ  ＝  Ｎｏｔ  Ｃｏｎｆｉｒｍｅｄのように、在圏が変わっていなくてもＨＬＲに対して位置登録を実施する必要がある場合か判定する。ステップＳ１３の判定の結果、強制的にＣＯＭＢＩＮＥＤ位置登録を実施するケースでなければ（ステップＳ１３：ＮＯ）、既存の動作が行われる（ステップＳ１４）。すなわち、通常のＣＳ位置登録が行われる。
また、ステップＳ１３の判定の結果、強制的にＣＯＭＢＩＮＥＤ位置登録を実施するケースであれば（ステップＳ１３：ＹＥＳ）、ＳＧＳＮからＣＳ−ＧＷへのＣＯＭＢＩＮＥＤ信号に「Ｉｎｔｒａ−ＳＧＳＮ」を示すパラメータを設定する（ステップＳ１５）。
【００６１】
さらに、ＣＳ−ＧＷからＩ／Ｓ−ＣＳＣＦを経由してＡＳへ送信されるＳＩＰ信号に、Ｉｎｔｒａ−ＳＧＳＮを示すパラメータを追加する（ステップＳ１６’）。このパラメータが追加されたことにより、コアネットワークでは、Ｉｎｔｒａ−ＳＧＳＮでもＣＯＭＢＩＮＥＤ位置登録信号を用いて、ＨＬＲに対して位置登録を行う（ステップＳ１７）。
なお、Ｉｎｔｒａ−ＳＧＳＮであるので、ＡＳ、ＨＬＲは旧在圏ＳＧＳＮのプロファイル情報削除を行わない（ステップＳ１８）。
【００６２】
（各装置間の信号授受）
次に、図６〜図９のシーケンス図を参照して、移動通信システムを構成する各装置間（ノード間）の信号授受について説明する。図６および図７は、第１案の場合の移動通信システムを構成する各装置間（ノード間）の信号授受を示すシーケンス図である。また、図８および図９は、第２案の場合の移動通信システムを構成する各装置間（ノード間）の信号授受を示すシーケンス図である。なお、図６〜図９において、「追加パラメータ」を「追加パラ」と略記する。
【００６３】
（ａ）第１案において、Ｉｎｔｒａ−ＳＧＳＮ、Ｉｎｔｅｒ−ＣＳ−ＧＷ、ＡＳ跨りなし、の場合
最初に、Ｉｎｔｒａ−ＳＧＳＮ、Ｉｎｔｅｒ−ＣＳ−ＧＷ、ＡＳ跨りなしの場合について説明する。
図６は、本例の移動通信システムを構成する装置である、ＳＧＳＮ１１、旧ＳＧＳＮ１１’、旧ＣＳ−ＧＷ１３ａ、新ＣＳ−ＧＷ１３ｂ、旧Ｉ／Ｓ−ＣＳＣＦ１４ａ、新Ｉ／Ｓ−ＣＳＣＦ１４ｂ、旧ＡＳ１５ａ、新ＡＳ１５ｂ、ＨＬＲ１０の間における信号授受を示すシーケンス図である。なお、「旧」は移動端末の移動元のエリアに対応する装置であることを示し、「新」は移動端末の移動後のエリアに対応する装置であることを示す。また、図中の楕円図形は、その装置（またはノード）に加入者のプロファイル情報Ｐが保持されていることを示している。
【００６４】
図６において、図示しない移動端末がＣＯＭＢＩＮＥＤ  ＡＴＴＡＣＨ信号またはＣＯＭＢＩＮＥＤ  ＲＡ／ＬＡ  ＵＰＤＡＴＩＮＧ信号を送信すると、ＳＧＳＮ１１はその信号を受信する（Ｓ１０１）。なお、ＲＡ（Ｒｏｕｔｉｎｇ  Ａｒｅａ）はパケット交換位置登録エリア、ＬＡ（Ｌｏｃａｔｉｏｎ  Ａｒｅａ）は回線交換位置登録エリアである。
ＳＧＳＮ１１は、新ＣＳ−ＧＷ１３ｂへＢＳＳＡＰ＋ＣＯＭＢＩＮＥＤ  ＬＯＣＡＴＩＯＮ  ＵＰＤＡＴＥ  ＲＥＱＵＥＳＴを送信する（Ｓ１０２）。このＢＳＳＡＰ＋ＣＯＭＢＩＮＥＤ  ＬＯＣＡＴＩＯＮ  ＵＰＤＡＴＥ  ＲＥＱＵＥＳＴには、追加パラメータとして「Ｉｎｔｒａ−ＳＧＳＮ」が含まれている。
【００６５】
新ＣＳ−ＧＷ１３ｂは、このＢＳＳＡＰ＋ＣＯＭＢＩＮＥＤ  ＬＯＣＡＴＩＯＮ  ＵＰＤＡＴＥ  ＲＥＱＵＥＳＴを受信すると、新Ｉ／Ｓ−ＣＳＣＦ１４ｂを介して、ＡＳ１５ｂへＳＩＰ  ＲＥＧＩＳＴＥＲ（Ｉｎｔｒａ−ＳＧＳＮ  ／  Ｉｎｔｅｒ−ＣＳ−ＧＷ）を送信する（Ｓ１０３、Ｓ１０４）。このＳＩＰ  ＲＥＧＩＳＴＥＲ（Ｉｎｔｒａ−ＳＧＳＮ  ／  Ｉｎｔｅｒ−ＣＳ−ＧＷ）には、追加パラメータとして「ＣＯＭＢＩＮＥＤ位置登録」が含まれている。
【００６６】
ＡＳ１５ｂは、「Ｉｎｔｒａ−ＳＧＳＮ」であるが「ＣＯＭＢＩＮＥＤ位置登録」をするよう指示されているので、ＣＯＭＢＩＮＥＤ位置登録を実施するため、ＨＬＲ１０へＭＡＰ＿ＣＯＭＢＩＮＥＤ  ＵＰＤＡＴＥ  ＬＯＣＡＴＩＯＮを送信する（Ｓ１０５）。このＭＡＰ＿ＣＯＭＢＩＮＥＤ  ＵＰＤＡＴＥ  ＬＯＣＡＴＩＯＮには、追加パラメータとして「Ｉｎｔｒａ−ＳＧＳＮ」が含まれている。
ここで、ＨＬＲ１０からＡＳ１５ｂへＭＡＰ  ＩＳＤ（Ｉｎｔｅｒｅ−Ｓｉｔｅ  Ｄｉｓｔａｎｃｅ）  ＲＥＱを送信すると（Ｓ１０６）、ＡＳ１５ｂからＨＬＲ１０へＭＡＰ
【００６７】
ＩＳＤ  ＲＥＳＰが返信される（Ｓ１０７）。その後、ＨＬＲ１０からＡＳ１５ｂへＭＡＰ＿ＣＯＭＢＩＮＥＤ  ＵＰＤＡＴＥ  ＬＯＣＡＴＩＯＮ  ＲＥＳＰ（図中ではＭＡＰ  ＣＵＬ  ＲＥＳＰと略記）が返信される（Ｓ１０８）。
ＡＳ１５ｂは、旧Ｉ／Ｓ−ＣＳＣＦ１４ａへＳＩＰ信号によるＮｏｔｉｆｙ（以後、ＳＩＰ  Ｎｏｔｉｆｙと略記する）を送信する（Ｓ１０９）。
その後、ＡＳ１５ｂは、ＳＩＰの設定パラメータからは「Ｉｎｔｒａ−ＳＧＳＮ」であると判断し、ＣＬ（Ｃａｎｃｅｌ  Ｌｏｃａｔｉｏｎ）はＶＬＲにのみ実施する（Ｓ１１０）。このため、ＡＳ１５ｂは、旧ＣＳ−ＧＷ１３ａへＭＡＰ＿ＣＡＮＣＥＬ  ＬＯＣＡＴＩＯＮ（ＶＬＲ）を送信する（Ｓ１１１）。これにより、旧ＣＳ−ＧＷ１３ａでは、保持していたプロファイル情報Ｐを削除し（Ｓ１１２）、応答であるＭＡＰ＿ＣＡＮＣＥＬ  ＬＯＣＡＴＩＯＮ  ＲＥＳＰを返信する（Ｓ１１３）。
【００６８】
その後、ＡＳ１５ｂは新Ｉ／Ｓ−ＣＳＣＦ１４ｂへ、ＳＩＰ信号による２００  ＯＫ（以後、ＳＩＰ  ２００  ＯＫと略記する）を送信し（Ｓ１１４）、新Ｉ／Ｓ−ＣＳＣＦ１４ｂはプロファイル情報を保持する（Ｓ１１５）。さらに、新Ｉ／Ｓ−ＣＳＣＦ１４ｂは新ＣＳ−ＧＷ１３ｂへ、ＳＩＰ  ２００  ＯＫを送信し（Ｓ１１６）、新ＣＳ−ＧＷ１３ｂはプロファイル情報を保持する（Ｓ１１７）。
新ＣＳ−ＧＷ１３ｂは、ＳＧＳＮ１１へ、ＢＳＳＡＰ＋ＣＯＭＢＩＮＥＤ  ＬＯＣＡＴＩＯＮ  ＵＰＤＡＴＥ  ＡＣＣＥＰＴを返信する（Ｓ１１８）。ＳＧＳＮ１１は、図示しない移動端末へ、ＣＯＭＢＩＮＥＤ  ＡＴＴＡＣＨ  ＡＣＣＥＰＴ信号またはＣＯＭＢＩＮＥＤ  ＲＡ／ＬＡ  ＵＰＤＡＴＩＮＧ  ＡＣＣＥＰＴ信号を送信する（Ｓ１１９）。
【００６９】
ＨＬＲ１０の再開後、保持データが最大１５分古い場合があり、その場合、ＨＬＲのアドレス変更が必要になる。そこで、追加パラメータが付加されており、かつ、ＨＬＲ１０で保持していたＳＧＳＮのアドレスが変わっていた場合、旧ＳＧＳＮ１１’にＣＬ（Ｃａｎｃｅｌ  Ｌｏｃａｔｉｏｎ）を送信する（Ｓ１２０）。
この場合、実際には旧ＳＧＳＮにプロファイル情報は無い可能性が高いが、プロファイル情報を保持したままの状態になる可能性がある。このため、ＨＬＲ１０は旧ＳＧＳＮ１１’へ、ＭＡＰ＿ＣＡＮＣＥＬ  ＬＯＣＡＴＩＯＮ（ＶＬＲ）を送信する（Ｓ１２１）。これを受信した旧ＳＧＳＮ１１’では、プロファイル情報を削除する（Ｓ１２２）。その後、旧ＳＧＳＮ１１’は、ＨＬＲ１０へ、ＭＡＰ＿ＣＡＮＣＥＬ  ＬＯＣＡＴＩＯＮ  ＲＥＳＰを返信する（Ｓ１２３）。以上で処理は完了となる。
【００７０】
（ｂ）第１案において、Ｉｎｔｒａ−ＳＧＳＮ、Ｉｎｔｅｒ−ＣＳ−ＧＷ、ＡＳ跨りあり、の場合
次に、Ｉｎｔｒａ−ＳＧＳＮ、Ｉｎｔｅｒ−ＣＳ−ＧＷ、ＡＳＮ跨りありの場合について説明する。
図７は、本例の移動通信システムを構成する装置である、ＳＧＳＮ１１、旧ＳＧＳＮ１１’、旧ＣＳ−ＧＷ１３ａ、新ＣＳ−ＧＷ１３ｂ、旧Ｉ／Ｓ−ＣＳＣＦ１４ａ、新Ｉ／Ｓ−ＣＳＣＦ１４ｂ、旧ＡＳＮ１５ａ、新ＡＳＮ１５ｂ、ＨＬＲ１０の間における信号授受を示すシーケンス図である。なお、「旧」は移動端末の移動元のエリアに対応する装置であることを示し、「新」は移動端末の移動後のエリアに対応する装置であることを示す。また、図中の楕円図形は、その装置（またはノード）に加入者のプロファイル情報Ｐが保持されていることを示している。
【００７１】
図７において、図示しない移動端末がＣＯＭＢＩＮＥＤ  ＡＴＴＡＣＨ信号またはＣＯＭＢＩＮＥＤ  ＲＡ／ＬＡ  ＵＰＤＡＴＩＮＧ信号を送信すると、ＳＧＳＮ１１はその信号を受信する（Ｓ１０１）。
ＳＧＳＮ１１は、新ＣＳ−ＧＷ１３ｂへＢＳＳＡＰ＋ＣＯＭＢＩＮＥＤ  ＬＯＣＡＴＩＯＮ  ＵＰＤＡＴＥ  ＲＥＱＵＥＳＴを送信する（Ｓ１０２）。このＢＳＳＡＰ＋ＣＯＭＢＩＮＥＤ  ＬＯＣＡＴＩＯＮ  ＵＰＤＡＴＥ  ＲＥＱＵＥＳＴには、追加パラメータとして「Ｉｎｔｒａ−ＳＧＳＮ」が含まれている。
【００７２】
新ＣＳ−ＧＷ１３ｂは、このＢＳＳＡＰ＋ＣＯＭＢＩＮＥＤＬＯＣＡＴＩＯＮ  ＵＰＤＡＴＥ  ＲＥＱＵＥＳＴを受信すると、新Ｉ／Ｓ−ＣＳＣＦｂを介して、ＡＳＮ１５ｂへＳＩＰ  ＲＥＧＩＳＴＥＲ（Ｉｎｔｒａ−ＳＧＳＮ  ／  Ｉｎｔｅｒ−ＣＳ−ＧＷ）を送信する（Ｓ１０３、Ｓ１０４）。このＳＩＰ  ＲＥＧＩＳＴＥＲ（Ｉｎｔｒａ−ＳＧＳＮ  ／  Ｉｎｔｅｒ−ＣＳ−ＧＷ）には、追加パラメータとして「ＣＯＭＢＩＮＥＤ位置登録」が含まれている。
【００７３】
ＡＳ１５ｂは、「Ｉｎｔｒａ−ＳＧＳＮ」であるが「ＣＯＭＢＩＮＥＤ位置登録」をするよう指示されているので、ＣＯＭＢＩＮＥＤ位置登録を実施するため、ＨＬＲ１０へＭＡＰ＿ＣＯＭＢＩＮＥＤ  ＵＰＤＡＴＥ  ＬＯＣＡＴＩＯＮを送信する（Ｓ１０５）。このＭＡＰ＿ＣＯＭＢＩＮＥＤ  ＵＰＤＡＴＥ  ＬＯＣＡＴＩＯＮには、追加パラメータとして「Ｉｎｔｒａ−ＳＧＳＮ」が含まれている。
【００７４】
ＨＬＲ１０は、ＭＡＰ＿ＣＯＭＢＩＮＥＤ  ＵＰＤＡＴＥ  ＬＯＣＡＴＩＯＮを受信すると、以下の判断でＣＬを実施する（Ｓ１０５ａ）。
（１）追加パラメータありかつＳＧＳＮ変更なしの場合（通常のＬＩＣＨ動作の場合）、ＶＬＲを指定してＣＬを送信する。
（２）追加パラメータありかつＳＧＳＮ変更ありの場合（ＳＧＳＮアンマッチの場合）、ＶＬＲを指定してＣＬを送信すると共に、旧ＳＧＳＮへＣＬを送信する。
（３）追加パラメータなしの場合（通常のＣＯＭＢＩＮＥの場合）、ＵＭＳＣを指定してＣＬを送信する。
【００７５】
以上の判断にしたがって、ＨＬＲ１０は新ＡＳ１５ｂへ、ＭＡＰ＿ＣＡＮＣＥＬ  ＬＯＣＡＴＩＯＮ  ＲＥＱＵＥＳＴを送信する（Ｓ１０５ｂ）。新ＡＳ１５ｂは、旧Ｉ／Ｓ−ＣＳＣＦ１４ａへＳＩＰ  ＮＯＴＩＦＹを送信する（Ｓ１０９）。
その後、新ＡＳ１５ｂは、旧ＣＳ−ＧＷ１３ａへＭＡＰ＿ＣＡＮＣＥＬ  ＬＯＣＡＴＩＯＮ（ＶＬＲ）を送信する（Ｓ１１１）。これにより、旧ＣＳ−ＧＷ１３ａでは、保持していたプロファイル情報Ｐを削除し（Ｓ１１２）、応答であるＭＡＰ＿ＣＡＮＣＥＬ  ＬＯＣＡＴＩＯＮ  ＲＥＳＰを返信する（Ｓ１１３）。新ＡＳ１５ｂはＨＬＲ１０へＭＡＰ＿ＣＡＮＣＥＬ  ＬＯＣＡＴＩＯＮ  ＲＥＳＰＯＮＳＥを送信する（Ｓ１１３ａ）。
【００７６】
ここで、ＨＬＲ１０からＡＳ１５ｂへＭＡＰ  ＩＳＤ（Ｉｎｔｅｒｅ−Ｓｉｔｅ  Ｄｉｓｔａｎｃｅ）  ＲＥＱを送信すると（Ｓ１０６）、ＡＳ１５ｂでは加入者のプロファイル情報を保持した後（Ｓ１０６ａ）、ＡＳ１５ｂからＨＬＲ１０へＭＡＰ  ＩＳＤ  ＲＥＳＰが返信される（Ｓ１０７）。その後、ＨＬＲ１０からＡＳ１５ｂへＭＡＰ＿ＣＯＭＢＩＮＥＤ  ＵＰＤＡＴＥ  ＬＯＣＡＴＩＯＮ  ＲＥＳＰ（図中ではＭＡＰ  ＣＵＬ  ＲＥＳＰと略記）が返信される（Ｓ１０８）。
【００７７】
その後、ＡＳ１５ｂは新Ｉ／Ｓ−ＣＳＣＦ１４ｂへ、ＳＩＰ  ２００  ＯＫを送信し（Ｓ１１４）、新Ｉ／Ｓ−ＣＳＣＦ１４ｂはプロファイル情報を保持する（Ｓ１１５）。さらに、新Ｉ／Ｓ−ＣＳＣＦ１４ｂは新ＣＳ−ＧＷ１３ｂへ、ＳＩＰ  ２００  ＯＫを送信し（Ｓ１１６）、新ＣＳ−ＧＷ１３ｂはプロファイル情報を保持する（Ｓ１１７）。
新ＣＳ−ＧＷ１３ｂは、ＳＧＳＮ１１へ、ＢＳＳＡＰ＋ＣＯＭＢＩＮＥＤ  ＵＰＤＡＴＥ  ＡＣＣＥＰＴを返信する（Ｓ１１８）。ＳＧＳＮ１１は、図示しない移動端末へ、ＣＯＭＢＩＮＥＤ  ＡＴＴＡＣＨ  ＡＣＣＥＰＴ信号またはＣＯＭＢＩＮＥＤ  ＲＡ／ＬＡ  ＵＰＤＡＴＩＮＧ  ＡＣＣＥＰＴ信号を送信する（Ｓ１１９）。以上で処理は完了となる。
【００７８】
（ｃ）第２案において、Ｉｎｔｒａ−ＳＧＳＮ、Ｉｎｔｅｒ−ＣＳ−ＧＷ、ＡＳ跨りなし、の場合
図８は、本例の移動通信システムを構成する装置である、ＳＧＳＮ１１、旧ＳＧＳＮ１１’、旧ＣＳ−ＧＷ１３ａ、新ＣＳ−ＧＷ１３ｂ、旧Ｉ／Ｓ−ＣＳＣＦ１４ａ、新Ｉ／Ｓ−ＣＳＣＦ１４ｂ、旧ＡＳ１５ａ、新ＡＳ１５ｂ、ＨＬＲ１０の間における信号授受を示すシーケンス図である。なお、「旧」は移動端末の移動元のエリアに対応する装置であることを示し、「新」は移動端末の移動後のエリアに対応する装置であることを示す。また、図中の楕円図形は、その装置（またはノード）に加入者のプロファイル情報Ｐが保持されていることを示している。
【００７９】
本例において、図６の場合と異なる点は、新ＣＳ−ＧＷ１３ｂから送信される信号が異なる点である。本例では、新ＣＳ−ＧＷ１３ｂが送信するＳＩＰ  ＲＥＧＩＳＴＥＲ（Ｉｎｔｒａ−ＳＧＳＮ  ／  Ｉｎｔｅｒ−ＣＳ−ＧＷ）には、追加パラメータとして「Ｉｎｔｒａ−ＳＧＳＮ」が含まれている（Ｓ１０３’）。ＡＳ１５ｂは、「Ｉｎｔｅｒ−ＳＧＳＮ」であるが追加パラメータで「Ｉｎｔｒａ−ＳＧＳＮ」を設定してあるので、ＣＯＭＢＩＮＥＤ位置登録を行う。その他の処理は図６の場合と同様である。
【００８０】
（ｄ）第２案において、Ｉｎｔｒａ−ＳＧＳＮ、Ｉｎｔｅｒ−ＣＳ−ＧＷ、ＡＳ跨りあり、の場合
次に、Ｉｎｔｒａ−ＳＧＳＮ、Ｉｎｔｅｒ−ＣＳ−ＧＷ、ＡＳ跨りありの場合について説明する。
図９は、本例の移動通信システムを構成する装置である、ＳＧＳＮ１１、旧ＳＧＳＮ１１’、旧ＣＳ−ＧＷ１３ａ、新ＣＳ−ＧＷ１３ｂ、旧Ｉ／Ｓ−ＣＳＣＦ１４ａ、新Ｉ／Ｓ−ＣＳＣＦ１４ｂ、旧ＡＳ１５ａ、新ＡＳ１５ｂ、ＨＬＲ１０の間における信号授受を示すシーケンス図である。なお、「旧」は移動端末の移動元のエリアに対応する装置であることを示し、「新」は移動端末の移動後のエリアに対応する装置であることを示す。また、図中の楕円図形は、その装置（またはノード）に加入者のプロファイル情報Ｐが保持されていることを示している。
【００８１】
本例において、図７の場合と異なる点は、新ＣＳ−ＧＷ１３ｂから送信される信号が異なる点である。本例では、新ＣＳ−ＧＷ１３ｂが送信するＳＩＰ  ＲＥＧＩＳＴＥＲ（Ｉｎｔｒａ−ＳＧＳＮ  ／  Ｉｎｔｅｒ−ＣＳ−ＧＷ）には、追加パラメータとして「Ｉｎｔｒａ−ＳＧＳＮ」が含まれている（Ｓ１０３’）。ＡＳ１５ｂは、「Ｉｎｔｅｒ−ＳＧＳＮ」であるが追加パラメータで「Ｉｎｔｒａ−ＳＧＳＮ」を設定してあるので、ＣＯＭＢＩＮＥＤ位置登録を行う。その他の処理は図７の場合と同様である。
【００８２】
（変形例１）
上記の例では、コンバインド位置登録信号を送信する場合について説明したが、その場合に限らず、ＳＧＳＮ変更されていないにもかかわらず位置登録信号を送信する場合についても同様に、本発明を適用できることは明らかである。
ここで、ＳＧＳＮ、ＶＬＲ、ＨＬＲによって構成されているネットワークについて上記の第２案を適用する場合について説明する。
【００８３】
図１０において、回線故障等により、ＳＧＳＮ１１がＶＬＲ２１を選択できない場合（ステップＳ２１ａ）、ＳＧＳＮ１１は別のＶＬＲ２２を選択してＣＯＭＢＩＮＥＤ位置登録を実施する。このＣＯＭＢＩＮＥＤ位置登録を行う際「ＳＧＳＮは変わっていない」ことを示す新規パラメータを追加する（ステップＳ２２ａ）。
このパラメータの追加により、ＶＬＲ２２は、ＳＧＳＮ１１からＣＯＭＢＩＮＥＤ位置登録信号を受信した場合、新規パラメータからＳＧＳＮは変わっていないと認識する。そこで、ＶＬＲ２２は、ＨＬＲ１０に対してＳＧＳＮは変わっていないが、ＶＬＲは変わったと通知する（ステップＳ２３ａ）。
【００８４】
ＨＬＲ１０は、ＶＬＲ２２からのＣＯＭＢＩＮＥＤ位置登録信号を受信すると、ＶＬＲのみ変わったと認識し、ＶＬＲに対してのみプロファイル情報消去を指示する（ステップＳ２５ａ）。これにより、ＶＬＲ２１に保持されているプロファイル情報のみが消去される（ステップＳ２６ａ）。
図１１は、上記の第２案を採用した場合の移動通信システムの動作例を示すフローチャートである。
【００８５】
最初に、Ｉｎｔｒａ−ＳＧＳＮの位置登録か判定する（ステップＳ１１ａ）。ステップＳ１１ａの判定の結果、Ｉｎｔｒａ−ＳＧＳＮの位置登録ではなく、Ｉｎｔｅｒ−ＳＧＳＮの位置登録であれば（ステップＳ１１ａ：ＮＯ）、既存の動作が行われる（ステップＳ１２ａ）。すなわち、Ｉｎｔｅｒ−ＳＧＳＮであるため、ＣＯＭＢＩＮＥＤ位置登録が行われる。
【００８６】
一方、ステップＳ１１ａの判定の結果、Ｉｎｔｒａ−ＳＧＳＮの位置登録であれば（ステップＳ１１ａ：ＹＥＳ）、次に、強制的にＣＯＭＢＩＮＥＤ位置登録を実施するケースか判定する（ステップＳ１３ａ）。つまり、ＬＩＣＨ  ＝  Ｎｏｔ  Ｃｏｎｆｉｒｍｅｄや、ＳＤＣＨ  ＝  Ｎｏｔ  Ｃｏｎｆｉｒｍｅｄのように、在圏が変わっていなくてもＨＬＲに対して位置登録を実施する必要がある場合か判定する。ステップＳ１３ａの判定の結果、強制的にＣＯＭＢＩＮＥＤ位置登録を実施するケースでなければ（ステップＳ１３ａ：ＮＯ）、既存の動作が行われる（ステップＳ１４ａ）。すなわち、通常のＣＳ位置登録が行われる。
【００８７】
また、ステップＳ１３ａの判定の結果、強制的にＣＯＭＢＩＮＥＤ位置登録を実施するケースであれば（ステップＳ１３ａ：ＹＥＳ）、ＳＧＳＮからＶＬＲへのＣＯＭＢＩＮＥＤ信号に「Ｉｎｔｒａ−ＳＧＳＮ」を示すパラメータを設定する（ステップＳ１５ａ）。ＶＬＲは、Ｉｎｔｒａ−ＳＧＳＮでもＣＯＭＢＩＮＥＤ位置登録信号を用いて、ＨＬＲに対して位置登録を行う（ステップＳ１７ａ）。
なお、Ｉｎｔｒａ−ＳＧＳＮであるので、ＨＬＲは旧在圏ＳＧＳＮのプロファイル情報削除を行わない（ステップＳ１８ａ）。
【００８８】
ここで、図１２は、ＳＧＳＮ、ＶＬＲ、ＨＬＲによって構成されているネットワークについて上記の第２案を適用する場合の各装置間（ノード間）の信号授受を示すシーケンス図である。なお、図１２において、「追加パラメータ」を「追加パラ」と略記する。
図１２は、本例の移動通信システムを構成する装置である、ＳＧＳＮ１１、旧ＳＧＳＮ１１’、旧ＶＬＲ２１、新ＶＬＲ２２、ＨＬＲ１０の間における信号授受を示すシーケンス図である。なお、「旧」は移動端末の移動元のエリアに対応する装置であることを示し、「新」は移動端末の移動後のエリアに対応する装置であることを示す。また、図中の楕円図形は、その装置（またはノード）に加入者のプロファイル情報Ｐが保持されていることを示している。
【００８９】
図１２において、図示しない移動端末がＣＯＭＢＩＮＥＤ  ＡＴＴＡＣＨ信号またはＣＯＭＢＩＮＥＤ  ＲＡ／ＬＡ  ＵＰＤＡＴＩＮＧ信号を送信すると、ＳＧＳＮ１１はその信号を受信する（Ｓ１０１）。
ＳＧＳＮ１１は、新ＶＬＲ２２へＢＳＳＡＰ＋ＣＯＭＢＩＮＥＤ  ＬＯＣＡＴＩＯＮ  ＵＰＤＡＴＥ  ＲＥＱＵＥＳＴを送信する（Ｓ１０２）。このＢＳＳＡＰ＋ＣＯＭＢＩＮＥＤ  ＬＯＣＡＴＩＯＮ  ＵＰＤＡＴＥ  ＲＥＱＵＥＳＴには、追加パラメータとして「Ｉｎｔｒａ−ＳＧＳＮ」が含まれている。
【００９０】
新ＶＬＲ２２は、このＢＳＳＡＰ＋ＣＯＭＢＩＮＥＤ  ＬＯＣＡＴＩＯＮ  ＵＰＤＡＴＥ  ＲＥＱＵＥＳＴを受信すると、ＨＬＲ１０へＳＩＰ  ＲＥＧＩＳＴＥＲ（Ｉｎｔｒａ−ＳＧＳＮ  ／  Ｉｎｔｅｒ−ＣＳ−ＧＷ）を送信する（Ｓ１０３’）。このＳＩＰ  ＲＥＧＩＳＴＥＲ（Ｉｎｔｒａ−ＳＧＳＮ  ／  Ｉｎｔｅｒ−ＣＳ−ＧＷ）には、追加パラメータとして「Ｉｎｔｒａ−ＳＧＳＮ」が含まれている。
ここで、ＨＬＲ１０から旧ＶＬＲ２１へＭＡＰ＿ＣＡＮＣＥＬ  ＬＯＣＡＴＩＯＮ（ＶＬＲ）を送信する（Ｓ１１１）。これにより、旧ＶＬＲ２１では、保持していたプロファイル情報Ｐを削除し（Ｓ１１２）、応答であるＭＡＰ＿ＣＡＮＣＥＬ  ＬＯＣＡＴＩＯＮ  ＲＥＳＰを返信する（Ｓ１１３）。
【００９１】
その後、ＨＬＲ１０は新ＶＬＲ２２へ、ＳＩＰ  ２００  ＯＫを送信し（Ｓ１１６）、新ＶＬＲ２２はプロファイル情報を保持する（Ｓ１１７）。新ＶＬＲ２２は、ＳＧＳＮ１１へ、ＢＳＳＡＰ＋ＣＯＭＢＩＮＥＤ  ＬＯＣＡＴＩＯＮ  ＵＰＤＡＴＥ  ＡＣＣＥＰＴを返信する（Ｓ１１８）。ＳＧＳＮ１１は、図示しない移動端末へ、ＣＯＭＢＩＮＥＤ  ＡＴＴＡＣＨ  ＡＣＣＥＰＴ信号またはＣＯＭＢＩＮＥＤ  ＲＡ／ＬＡ  ＵＰＤＡＴＩＮＧ  ＡＣＣＥＰＴ信号を送信する（Ｓ１１９）。
【００９２】
ＨＬＲ１０の再開後、保持データが最大１５分古い場合があり、その場合、ＨＬＲのアドレス変更が必要になる。そこで、追加パラメータが付加されており、かつ、ＨＬＲ１０で保持していたＳＧＳＮのアドレスが変わっていた場合、旧ＳＧＳＮ１１’にＣＬ（Ｃａｎｃｅｌ  Ｌｏｃａｔｉｏｎ）を送信する（Ｓ１２０）。
この場合、実際には旧ＳＧＳＮにプロファイル情報は無い可能性が高いが、プロファイル情報を保持したままの状態になる可能性がある。このため、ＨＬＲ１０は旧ＳＧＳＮ１１’へ、ＭＡＰ＿ＣＡＮＣＥＬ  ＬＯＣＡＴＩＯＮ（ＶＬＲ）を送信する（Ｓ１２１）。これを受信した旧ＳＧＳＮ１１’では、プロファイル情報を削除する（Ｓ１２２）。その後、旧ＳＧＳＮ１１’は、ＨＬＲ１０へ、ＭＡＰ＿ＣＡＮＣＥＬ  ＬＯＣＡＴＩＯＮ  ＲＥＳＰを返信する（Ｓ１２３）。以上で処理は完了となる。
【００９３】
また、上記の例では、ＳＧＳＮにおいてプロファイル情報を削除するための削除指示信号の送信を抑止して、プロファイル情報を削除しないようにしている。その変形例として、ＳＧＳＮにおいて、受信した削除指示信号について判定し、例えば、意図している装置からの削除指示信号のみを受付けるように制御することによって、プロファイル情報を削除しないようにしてもよい。
【００９４】
（変形例２）
次に、変形例２を説明する。変形例２では、ＨＬＲが新／旧の在圏ノードを意識して、プロファイル情報の消去を指示する。
図１３において、回線故障等により、ＳＧＳＮ１１がＶＬＲ２１を選択できない場合（ステップＳ２１ａ）、ＳＧＳＮ１１は別のＶＬＲ２２を選択してＣＯＭＢＩＮＥＤ位置登録を実施する。このＣＯＭＢＩＮＥＤ位置登録を行う際「ＳＧＳＮは変わっていない」ことを示す新規パラメータを追加する（ステップＳ２２ａ）。
ＶＬＲ２２は、ＳＧＳＮからＣＯＭＢＩＮＥＤ位置登録信号を受信した場合、ＨＬＲ１０にＣＯＭＢＩＮＥＤ位置登録を実施する（Ｓ２３ｂ）。
【００９５】
ここで、ＨＬＲ１０は今在圏していると思っているＳＧＳＮ、ＶＬＲを認識していることを前提とする。ＨＬＲ１０は、ＣＯＭＢＩＮＥＤ位置登録信号で通知されてきたＳＧＳＮ、ＶＬＲのプロファイル情報と、ＨＬＲ１０自身に記憶されているプロファイル情報とを比較し、在圏が変わったと判断した場合、旧在圏に対してのみプロファイル情報の消去を指示する（Ｓ２５ｂ）。本例では、ＶＬＲに対してのみプロファイル情報の消去を指示する。これにより、ＶＬＲ２１に保持されているプロファイル情報のみが消去される（ステップＳ２６ａ）。
以上のように、ＨＬＲ１０は、ＭＡＰ＿ＣＯＭＢＩＮＥＤ  ＵＰＤＡＴＥ  ＬＯＣＡＴＩＯＮ  ＲＥＱＵＥＳＴで通知されてきた「新しいＳＧＳＮ」と「新しいＶＬＲ」を、自身が保持している「在圏しているＳＧＳＮ」と「在圏しているＶＬＲ」を比較する。そして、在圏が変わっているノードに対して、キャンセル信号を送信するように指示する。
【００９６】
図１４は、上記の第２案を採用した場合の移動通信システムの動作例を示すフローチャートである。
最初に、Ｉｎｔｒａ−ＳＧＳＮの位置登録か判定する（ステップＳ１１ａ）。ステップＳ１１ａの判定の結果、Ｉｎｔｒａ−ＳＧＳＮの位置登録ではなく、Ｉｎｔｅｒ−ＳＧＳＮの位置登録であれば（ステップＳ１１ａ：ＮＯ）、既存の動作が行われる（ステップＳ１２ａ）。すなわち、Ｉｎｔｅｒ−ＳＧＳＮであるため、ＣＯＭＢＩＮＥＤ位置登録が行われる。
【００９７】
一方、ステップＳ１１ａの判定の結果、Ｉｎｔｒａ−ＳＧＳＮの位置登録であれば（ステップＳ１１ａ：ＹＥＳ）、次に、強制的にＣＯＭＢＩＮＥＤ位置登録を実施するケースか判定する（ステップＳ１３ａ）。つまり、ＬＩＣＨ  ＝  Ｎｏｔ  Ｃｏｎｆｉｒｍｅｄや、ＳＤＣＨ  ＝  Ｎｏｔ  Ｃｏｎｆｉｒｍｅｄのように、在圏が変わっていなくてもＨＬＲに対して位置登録を実施する必要がある場合か判定する。ステップＳ１３ａの判定の結果、強制的にＣＯＭＢＩＮＥＤ位置登録を実施するケースでなければ（ステップＳ１３ａ：ＮＯ）、既存の動作が行われる（ステップＳ１４ａ）。すなわち、通常のＣＳ位置登録が行われる。
【００９８】
また、ステップＳ１３ａの判定の結果、強制的にＣＯＭＢＩＮＥＤ位置登録を実施するケースであれば（ステップＳ１３ａ：ＹＥＳ）、ＳＧＳＮからＶＬＲへのＣＯＭＢＩＮＥＤ信号に「Ｉｎｔｒａ−ＳＧＳＮ」を示すパラメータを設定する（ステップＳ１５ａ）。ＶＬＲ２２は、Ｉｎｔｒａ−ＳＧＳＮでもＣＯＭＢＩＮＥＤ位置登録信号を用いて、ＨＬＲ１０に対して位置登録を行う（ステップＳ１７ａ）。ＨＬＲ１０は、ＣＯＭＢＩＮＥＤ位置登録信号で通知されてきたＳＧＳＮ、ＶＬＲのプロファイル情報と、自身に記憶されているプロファイル情報とを比較し、在圏が変わったと判断した場合、旧在圏に対してのみ加入者プロファイル情報消去を指示する（ステップＳ１７ｂ）。
なお、Ｉｎｔｒａ−ＳＧＳＮであるので、ＨＬＲは旧在圏ＳＧＳＮのプロファイル情報削除を行わない（ステップＳ１８ａ）。
【００９９】
ここで、図１５は、ＳＧＳＮ、ＶＬＲ、ＨＬＲによって構成されているネットワークについて上記の第２案を適用する場合の各装置間（ノード間）の信号授受を示すシーケンス図である。なお、図１５において、「追加パラメータ」を「追加パラ」と略記する。
図１５は、本例の移動通信システムを構成する装置である、ＳＧＳＮ１１、旧ＳＧＳＮ１１’、旧ＶＬＲ２１、新ＶＬＲ２２、ＨＬＲ１０の間における信号授受を示すシーケンス図である。なお、「旧」は移動端末の移動元のエリアに対応する装置であることを示し、「新」は移動端末の移動後のエリアに対応する装置であることを示す。また、図中の楕円図形は、その装置（またはノード）に加入者のプロファイル情報Ｐが保持されていることを示している。
【０１００】
図１５において、図示しない移動端末がＣＯＭＢＩＮＥＤ  ＡＴＴＡＣＨ信号またはＣＯＭＢＩＮＥＤ  ＲＡ／ＬＡ  ＵＰＤＡＴＩＮＧ信号を送信すると、ＳＧＳＮ１１はその信号を受信する（Ｓ１０１）。
ＳＧＳＮ１１は、新ＶＬＲ２２へＢＳＳＡＰ＋ＣＯＭＢＩＮＥＤ  ＬＯＣＡＴＩＯＮ  ＵＰＤＡＴＥ  ＲＥＱＵＥＳＴを送信する（Ｓ１０２）。このＢＳＳＡＰ＋ＣＯＭＢＩＮＥＤ  ＬＯＣＡＴＩＯＮ  ＵＰＤＡＴＥ  ＲＥＱＵＥＳＴには、追加パラメータとして「Ｉｎｔｒａ−ＳＧＳＮ」が含まれている。
【０１０１】
新ＶＬＲ２２は、このＢＳＳＡＰ＋ＣＯＭＢＩＮＥＤ  ＬＯＣＡＴＩＯＮ  ＵＰＤＡＴＥ  ＲＥＱＵＥＳＴを受信すると、ＨＬＲ１０へＳＩＰ  ＲＥＧＩＳＴＥＲ（Ｉｎｔｒａ−ＳＧＳＮ  ／  Ｉｎｔｅｒ−ＣＳ−ＧＷ）を送信する（Ｓ１０３’）。このＳＩＰ  ＲＥＧＩＳＴＥＲ（Ｉｎｔｒａ−ＳＧＳＮ  ／  Ｉｎｔｅｒ−ＣＳ−ＧＷ）には、追加パラメータとして「Ｉｎｔｒａ−ＳＧＳＮ」が含まれている。
ここで、ＨＬＲ１０から旧ＶＬＲ２１へＭＡＰ＿ＣＡＮＣＥＬ  ＬＯＣＡＴＩＯＮ（ＶＬＲ）を送信する（Ｓ１１１）。これにより、旧ＶＬＲ２１では、保持していたプロファイル情報Ｐを削除し（Ｓ１１２）、応答であるＭＡＰ＿ＣＡＮＣＥＬ  ＬＯＣＡＴＩＯＮ  ＲＥＳＰを返信する（Ｓ１１３）。
【０１０２】
その後、ＨＬＲ１０は新ＶＬＲ２２へ、ＳＩＰ  ２００  ＯＫを送信し（Ｓ１１６）、新ＶＬＲ２２はプロファイル情報を保持する（Ｓ１１７）。新ＶＬＲ２２は、ＳＧＳＮ１１へ、ＢＳＳＡＰ＋ＣＯＭＢＩＮＥＤ  ＬＯＣＡＴＩＯＮ  ＵＰＤＡＴＥ  ＡＣＣＥＰＴを返信する（Ｓ１１８）。ＳＧＳＮ１１は、図示しない移動端末へ、ＣＯＭＢＩＮＥＤ  ＡＴＴＡＣＨ  ＡＣＣＥＰＴ信号またはＣＯＭＢＩＮＥＤ  ＲＡ／ＬＡ  ＵＰＤＡＴＩＮＧ  ＡＣＣＥＰＴ信号を送信する（Ｓ１１９）。
ＨＬＲ１０の再開後、保持データが最大１５分古い場合があり、その場合、ＨＬＲのアドレス変更が必要になる。そこで、追加パラメータが付加されており、かつ、ＨＬＲ１０で保持していたＳＧＳＮのアドレスが変わっていた場合、旧ＳＧＳＮ１１’にＣＬ（Ｃａｎｃｅｌ  Ｌｏｃａｔｉｏｎ）を送信する（Ｓ１２０）。
【０１０３】
この場合、実際には旧ＳＧＳＮにプロファイル情報は無い可能性が高いが、プロファイル情報を保持したままの状態になる可能性がある。このため、ＨＬＲ１０は旧ＳＧＳＮ１１’へ、ＭＡＰ＿ＣＡＮＣＥＬ  ＬＯＣＡＴＩＯＮ（ＶＬＲ）を送信する（Ｓ１２１）。これを受信した旧ＳＧＳＮ１１’では、プロファイル情報を削除する（Ｓ１２２）。その後、旧ＳＧＳＮ１１’は、ＨＬＲ１０へ、ＭＡＰ＿ＣＡＮＣＥＬ  ＬＯＣＡＴＩＯＮ  ＲＥＳＰを返信する（Ｓ１２３）。以上で処理は完了となる。  なお、上記は、標準的なＳＧＳＮ、ＭＳＣ、ＨＬＲのほか、ＩＭＳなどについても適用することができる。
【０１０４】
（位置登録方法）
上述した移動通信システムにおいては、以下のような位置登録方法が実現されている。すなわち、移動端末に関する位置登録信号を受信した場合に、該移動端末が在圏していたエリアである旧在圏エリアに対応する交換機宛てに、該移動端末に関する加入者プロファイル情報を削除する指示を含む削除指示信号を第１の装置が送信する第１ステップと、移動端末の在圏エリアが変更になっていない場合でも送信すべき位置登録信号に、前記第１の装置による前記削除指示信号の送信を抑止するための送信抑止情報を含めて、前記第１の装置宛てに第２の装置が送信する第２ステップと、を含む位置登録方法が実現されている。この方法により、Ｉｎｔｒａ−ＳＧＳＮの場合でも、問題が生じることなく、ＣＯＭＢＩＮＥＤ位置登録信号を用いることができる。
【０１０５】
（まとめ）
以上説明したように、パラメータを追加し、削除してはいけない旨のフラグ、削除禁止を示すフラグとして機能させることにより、ＬＩＣＨフラグが設定されている場合（フラグがオン）や、ＳＧＳＮが保持している加入者プロファイル情報の正確性に自信がない場合（加入者プロファイル情報が正確でない可能性がある場合）など、移動端末の位置登録を強制的に行う場合において、ＳＧＳＮが変化していない状況においても、ＣＯＭＢＩＮＥＤ位置登録を行うときに、それをＳＧＳＮ、ＡＳ、ＨＬＲに認識させて、ＳＧＳＮに保持されている加入者のプロファイル情報を削除する指示を出さないようにすることにより、移動端末を用いた通信に支障が生じないようにする。したがって、本発明によれば、ＳＧＳＮが変わっていない場合の強制的な位置登録でもＣＯＭＢＩＮＥＤ位置登録信号を用いることができるようになるため、ＣＳ／ＰＳ単独の位置登録信号を用いる場合に比べて信号数を少なくできるので、ＨＬＲの負荷を軽減することができる。
【０１０６】
なお、本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【符号の説明】
【０１０７】
１  第１の装置
２  第２の装置
３  交換機
１０  ＨＬＲ
１１、１２  ＳＧＳＮ
１３ａ、１３ｂ、２１、２２  ＣＳ−ＧＷ
１４  Ｉ／Ｓ−ＣＳＣＦ
１５  ＡＳ
ＭＴ  移動端末
【図１】
2014003554.tif 000003
【図２】
2014003554.tif 000004
【図３】
2014003554.tif 000005
【図４】
2014003554.tif 000006
【図５】
2014003554.tif 000007
【図６】
2014003554.tif 000008
【図７】
2014003554.tif 000009
【図８】
2014003554.tif 000010
【図９】
2014003554.tif 000011
【図１０】
2014003554.tif 000012
【図１１】
2014003554.tif 000013
【図１２】
2014003554.tif 000014
【図１３】
2014003554.tif 000015
【図１４】
2014003554.tif 000016
【図１５】
2014003554.tif 000017
【図１６】
2014003554.tif 000018
【図１７】
2014003554.tif 000019
【図１８】
2014003554.tif 000020
【図１９】
2014003554.tif 000021
【図２０】
2014003554.tif 000022
【図２１】
2014003554.tif 000023
【図２２】
2014003554.tif 000024
【図２３】
2014003554.tif 000025
【図２４】
2014003554.tif 000026
【図２５】
2014003554.tif 000027